(57)【要約】  本発明は、細胞外小胞サンプルを使用して、対象におけるタンパク質ミスフォールディング神経変性障害、特にアルファシヌクレイノパチー（パーキンソン病およびレビー小体型認知症が挙げられる）の発症リスクを識別、監視、または判定する新規の方法を提供する。また、細胞外小胞サンプル中の病的プリオン様タンパク質（または１つ以上のセラミド種）の存在について、処置を選択し、かつアッセイする、対応する方法も提供される。【特許請求の範囲】
【請求項１】
対象におけるアルファシヌクレイノパチーを識別または監視するインビトロ方法であって、病的アルファ−シヌクレインタンパク質の存在について、前記対象由来の細胞外小胞サンプルをアッセイする工程を含み、病的アルファ−シヌクレインタンパク質の前記存在は、前記アルファシヌクレイノパチーを示す、方法。
【請求項２】
対象がアルファシヌクレイノパチーを発症するリスクを判定するインビトロ方法であって、病的アルファ−シヌクレインタンパク質の存在について、前記対象由来の細胞外小胞サンプルをアッセイする工程を含み、病的アルファ−シヌクレインタンパク質の前記存在は、前記対象が前記アルファシヌクレイノパチーを発症する高いリスクを示す、方法。
【請求項３】
アルファシヌクレイノパチーを患っている疑いがある、またはアルファシヌクレイノパチーの発症リスクが高い対象におけるアルファシヌクレイノパチーの存在を判定するインビトロ方法であって：
（ａ）前記対象から細胞外小胞サンプルを用意する工程と；
（ｂ）前記細胞外小胞サンプル中の病的アルファ−シヌクレインタンパク質の存在を判定する工程と
を含む、方法。
【請求項４】
疾患がある対象について処置を選択するインビトロ方法であって、前記対象由来の細胞外小胞サンプル中の病的アルファ−シヌクレインタンパク質の存在を判定する工程を含み、病的アルファ−シヌクレインタンパク質の前記存在は、前記対象がアルファシヌクレイノパチー用の処置から利益を得ることとなることを示す、方法。
【請求項５】
前記アルファシヌクレイノパチーは、パーキンソン病、レビー小体型認知症、および多系統萎縮症からなる群から選択される、請求項１〜４のいずれか一項に記載の方法。
【請求項６】
前記対象はヒトである、請求項１〜５のいずれか一項に記載の方法。
【請求項７】
前記対象は、アルファシヌクレイノパチーを患っている、または患っている疑いがある、請求項１〜６のいずれか一項に記載の方法。
【請求項８】
前記対象は、アルファシヌクレイノパチーを患っている、請求項７に記載の方法。
【請求項９】
前記対象は、初期段階のアルファシヌクレイノパチーを患っている、請求項８に記載の方法。
【請求項１０】
前記細胞外小胞サンプルは、ＣＳＦ、血液、脳組織ホモジェネート、尿、唾液、またはそれらの組合せから選択される生体サンプルから得られる、請求項１〜９のいずれか一項に記載の方法。
【請求項１１】
前記血液サンプルは、血漿、血清、血小板、およびバフィーコートからなる群から選択される、請求項１０に記載の方法。
【請求項１２】
前記細胞外小胞サンプルは、サイズ排除クロマトグラフィを使用して得られる、請求項１０または１１に記載の方法。
【請求項１３】
前記方法はさらに：
ｉ）前記対象由来の生体サンプルを用意する工程と；
ｉｉ）サイズ排除クロマトグラフィを使用して、前記生体サンプルから細胞外小胞サンプルを得る工程と
を含む、請求項１２に記載の方法。
【請求項１４】
前記病的アルファ−シヌクレインタンパク質の前記存在は、ＲＴ−ＱｕＩＣまたはＰＭＣＡを使用して検出される、請求項１〜１３のいずれか一項に記載の方法。
【請求項１５】
対象におけるアルファシヌクレイノパチーの識別もしくは監視のための、または対象におけるアルファシヌクレイノパチーの発症リスクを判定するための、インビトロ細胞外小胞サンプルの使用。
【請求項１６】
請求項１〜１４に従う特徴のいずれかを含む、請求項１５に記載の使用。
【請求項１７】
対象におけるアルファシヌクレイノパチーを識別または監視するインビトロ方法であって：
ａ）前記対象の細胞外小胞サンプル中の、Ｃｅｒ  ３２：１、Ｃｅｒ  ３３：１、Ｃｅｒ  ３４：１、Ｃｅｒ  ３４：２、Ｃｅｒ  ３７：１、Ｃｅｒ  ３８：１、Ｃｅｒ  ３８：２、Ｃｅｒ  ３９：１、Ｃｅｒ  ３９：２、Ｃｅｒ  ４０：１、Ｃｅｒ  ４０：２、Ｃｅｒ  ４１：１、Ｃｅｒ  ４１：２、Ｃｅｒ  ４０：１（ＯＨ）、およびＣｅｒ  ４０：２（ＯＨ）からなる群から選択される少なくとも１つのセラミド種の量を評価する工程と；
ｂ）前記少なくとも１つのセラミド種の前記評価量を、前記少なくとも１つのセラミド種についての参照値と比較する工程と；
を含み、前記少なくとも１つのセラミド種についての前記参照値よりも大きい前記少なくとも１つのセラミド種の評価量が、アルファシヌクレイノパチーを示す、方法。
【請求項１８】
対象がアルファシヌクレイノパチーを発症するリスクを判定するインビトロ方法であって：
ａ）前記対象の細胞外小胞サンプル中の、Ｃｅｒ  ３２：１、Ｃｅｒ  ３３：１、Ｃｅｒ  ３４：１、Ｃｅｒ  ３４：２、Ｃｅｒ  ３７：１、Ｃｅｒ  ３８：１、Ｃｅｒ  ３８：２、Ｃｅｒ  ３９：１、Ｃｅｒ  ３９：２、Ｃｅｒ  ４０：１、Ｃｅｒ  ４０：２、Ｃｅｒ  ４１：１、Ｃｅｒ  ４１：２、Ｃｅｒ  ４０：１（ＯＨ）、およびＣｅｒ  ４０：２（ＯＨ）からなる群から選択される少なくとも１つのセラミド種の量を評価する工程と；
ｂ）前記少なくとも１つのセラミド種の前記評価量を、前記少なくとも１つのセラミド種についての参照値と比較する工程と；
を含み、前記少なくとも１つのセラミド種についての前記参照値よりも大きい前記少なくとも１つのセラミド種の評価量が、前記対象がアルファシヌクレイノパチーを発症するリスクが高いことを示す、方法。
【請求項１９】
アルファシヌクレイノパチーを患っている疑いがある、またはアルファシヌクレイノパチーの発症リスクが高い対象におけるＣｅｒ  ３２：１、Ｃｅｒ  ３３：１、Ｃｅｒ  ３４：１、Ｃｅｒ  ３４：２、Ｃｅｒ３７：１、Ｃｅｒ  ３８：１、Ｃｅｒ  ３８：２、Ｃｅｒ  ３９：１、Ｃｅｒ  ３９：２、Ｃｅｒ  ４０：１、Ｃｅｒ  ４０：２、Ｃｅｒ  ４１：１、Ｃｅｒ  ４１：２、Ｃｅｒ  ４０：１（ＯＨ）、およびＣｅｒ  ４０：２（ＯＨ）からなる群から選択される少なくとも１つのセラミド種の量を評価するインビトロ方法であって：
（ａ）前記対象から細胞外小胞サンプルを用意する工程と；
（ｂ）前記細胞外小胞サンプル中の、Ｃｅｒ  ３２：１、Ｃｅｒ  ３３：１、Ｃｅｒ  ３４：１、Ｃｅｒ  ３４：２、Ｃｅｒ  ３７：１、Ｃｅｒ  ３８：１、Ｃｅｒ  ３８：２、Ｃｅｒ  ３９：１、Ｃｅｒ  ３９：２、Ｃｅｒ  ４０：１、Ｃｅｒ  ４０：２、Ｃｅｒ  ４１：１、Ｃｅｒ  ４１：２、Ｃｅｒ  ４０：１（ＯＨ）、およびＣｅｒ  ４０：２（ＯＨ）からなる群から選択される少なくとも１つのセラミド種の量を評価する工程と
を含む、方法。
【請求項２０】
疾患がある対象について処置を選択するインビトロ方法であって：
ａ）前記対象の細胞外小胞サンプル中の、Ｃｅｒ  ３２：１、Ｃｅｒ  ３３：１、Ｃｅｒ  ３４：１、Ｃｅｒ  ３４：２、Ｃｅｒ  ３７：１、Ｃｅｒ  ３８：１、Ｃｅｒ  ３８：２、Ｃｅｒ  ３９：１、Ｃｅｒ  ３９：２、Ｃｅｒ  ４０：１、Ｃｅｒ  ４０：２、Ｃｅｒ  ４１：１、Ｃｅｒ  ４１：２、Ｃｅｒ  ４０：１（ＯＨ）、およびＣｅｒ  ４０：２（ＯＨ）からなる群から選択される少なくとも１つのセラミド種の量を評価する工程と；
ｂ）前記少なくとも１つのセラミド種の前記評価量を、前記少なくとも１つのセラミド種についての参照値と比較する工程と；
を含み、前記少なくとも１つのセラミド種についての前記参照値よりも大きい前記少なくとも１つのセラミド種の評価量が、前記対象がアルファシヌクレイノパチー用の処置から利益を得ることとなることを示す、方法。
【請求項２１】
前記アルファシヌクレイノパチーは、パーキンソン病、レビー小体型認知症、および多系統萎縮症からなる群から選択される、請求項１７〜２０のいずれか一項に記載の方法。
【請求項２２】
前記対象はヒトである、請求項１７〜２１のいずれか一項に記載の方法。
【請求項２３】
前記対象は、アルファシヌクレイノパチーを患っている、または患っている疑いがある、請求項１７〜２２のいずれか一項に記載の方法。
【請求項２４】
前記対象は、アルファシヌクレイノパチーを患っている、請求項２３に記載の方法。
【請求項２５】
前記対象は、初期段階のアルファシヌクレイノパチーを患っている、請求項２４に記載の方法。
【請求項２６】
前記細胞外小胞サンプルは、ＣＳＦ、血液、脳組織ホモジェネート、尿、唾液、またはそれらの組合せから選択される生体サンプルから得られる、請求項１７〜２５のいずれか一項に記載の方法。
【請求項２７】
前記血液サンプルは、血漿、血清、血小板、およびバフィーコートからなる群から選択される、請求項２６に記載の方法。
【請求項２８】
前記細胞外小胞サンプルは、サイズ排除クロマトグラフィを使用して得られる、請求項２６または２７に記載の方法。
【請求項２９】
前記方法はさらに：
ｉ）前記対象由来の生体サンプルを用意する工程と；
ｉｉ）サイズ排除クロマトグラフィを使用して、前記生体サンプルから細胞外小胞サンプルを得る工程と
を含む、請求項２８に記載の方法。
【請求項３０】
前記参照値は、対照サンプルから得られ、または所定の参照値である、請求項１７〜２９のいずれか一項に記載の方法。
【請求項３１】
対象におけるアルファシヌクレイノパチーの識別もしくは監視のための、または対象におけるアルファシヌクレイノパチーの発症リスクを判定するための、Ｃｅｒ  ３２：１、Ｃｅｒ  ３３：１、Ｃｅｒ  ３４：１、Ｃｅｒ  ３４：２、Ｃｅｒ３７：１、Ｃｅｒ  ３８：１、Ｃｅｒ  ３８：２、Ｃｅｒ  ３９：１、Ｃｅｒ  ３９：２、Ｃｅｒ  ４０：１、Ｃｅｒ  ４０：２、Ｃｅｒ  ４１：１、Ｃｅｒ  ４１：２、Ｃｅｒ  ４０：１（ＯＨ）、およびＣｅｒ  ４０：２（ＯＨ）からなる群から選択される少なくとも１つの細胞外小胞セラミド種の使用。
【請求項３２】
請求項１７〜３０に従う特徴のいずれかを含む、請求項３１に記載の使用。
【発明の詳細な説明】
【技術分野】
【０００１】
本発明は、細胞外小胞サンプルを使用して、対象におけるタンパク質ミスフォールディング神経変性障害、特にアルファシヌクレイノパチー（パーキンソン病およびレビー小体型認知症が挙げられる）の発症リスクを識別、監視、または判定する新規の方法を提供する。また、細胞外小胞サンプル中の病的プリオン様タンパク質（または１つ以上のセラミド種）の存在について、処置を選択し、かつアッセイする、対応する方法も提供される。
【背景技術】
【０００２】
多くの神経変性障害は、タンパク質のミスフォールディング、凝集、および組織蓄積と関連する。本明細書中で「タンパク質ミスフォールディング神経変性障害」と呼ばれる当該障害として、パーキンソン病、レビー小体型認知症、多系統萎縮症、クロイツフェルト・ヤコブ病、アルツハイマー病、タウオパチー（アルツハイマー病、前頭側頭葉変性症、進行性核上性麻痺、および皮質基底核変性症等）、ハンチントン病、運動ニューロン疾患、デンタトパリドルブロルイジアン萎縮症（ｄｅｎｔａｔｏｐａｌｌｉｄｏｒｕｂｒｏｌｕｙｓｉａｎ  ａｔｒｏｐｈｙ）、脊髄小脳失調症、およびその他の多くが挙げられる（Ｓａｌｖａｄｏｒｅｓ  ｅｔ  ａｌ．，２０１４（非特許文献１））。
【０００３】
臨床症状が現れる前の疾患の初期段階にて、罹患した個体を識別するには、一般的に問題がある。これは、タンパク質ミスフォールディング神経変性障害の発症リスクを識別、監視、かつ評価するための、広く受け入れられており、信頼性があり、感度が高く、かつ客観的な分子診断法がないためである。したがって、そのような疾患の診断は、神経学的かつ神経精神病学的評価に大きく依存するが、これは典型的に、疾患の発症の後期段階でしか診断に役立たない。
【０００４】
一例として、パーキンソン病は、脳の一部が長年にわたって徐々に損傷を受ける容体である。パーキンソン病の主な症状として、身体の特定の部分の不随意の震え（振戦）、動作緩慢、および筋肉の硬直がある。また、パーキンソン病患者は、抑鬱および不安、平衡障害、嗅覚喪失（無嗅覚症）、睡眠障害（不眠症）、ならびに記憶障害が挙げられる、他の様々な身体的症状および心理的症状を経験し得る。
【０００５】
加えて、パーキンソン病に関連する２つのタイプの認知症；パーキンソン病認知症およびレビー小体型認知症がある。パーキンソン病の運動症状が、認知症を経験する前に少なくとも１年間存在する場合には、パーキンソン病認知症として区別される。レビー小体型認知症は、認知症の症状が、パーキンソン病の症状の前またはパーキンソン病の症状と同時に現れる場合に、診断される。パーキンソン病患者は、環境内での注意、見当識（ｏｒｉｅｎｔａｔｉｏｎ）、環境のネゴシエーション（ｎｅｇｏｔｉａｔｉｏｎ  ｏｆ  ｅｎｖｉｒｏｎｍｅｎｔ）の障害がより大きい傾向がある。また、考え方に柔軟性があまりない。
【０００６】
現在、患者の症状、病歴、および詳細な健康診断に基づいて、診断がなされている。初期段階のパーキンソン病は、症状が通常軽度であるため、診断するのが特に困難である。現在、完全な臨床診断が、高度に専門化された臨床環境において確立されており、そして神経心理学的評価および神経放射線学的評価に基づいている。当該診断は通常、専門家に繰り返し仰ぐ必要があり、これにより診断が遅れるので、処置およびサポートの開始が数ヶ月遅れる。現在、パーキンソン病の治療法はないが、容体の管理に役立つ様々な多くの処置、治療、およびサポートがある。
【０００７】
５００人に１人がパーキンソン病に冒されており、これは、英国において、この容体の人が推定１２７，０００人いることを意味する。パーキンソン病のほとんどの患者は、５０歳を超えると症状が出始めるが、当該容体の患者の約２０人に１人は、４０歳未満のときに初めて症状を経験している。男性は女性よりもパーキンソン病に罹る可能性が僅かに高い。国連（ＵＮ）の研究によると、２０５０年までに１８億人が６０歳を超え、１８，０００，０００人の潜在的な新規患者が予測されると報告されている。
【０００８】
米国では、少なくとも５０万人がパーキンソン病に罹患していると考えられており、毎年約５万の新規症例が報告されている。パーキンソン病は、年間１４４億ドルを費やすと見積もられており、間接的な費用（例えば、雇用の減少）は、控えめに見積もって６３億ドル（または１人あたり１０，０００ドル近く）と推定されている。これらの費用は、２０４０年までに２倍になると予測されている。英国では、当該費用は、年間４億ポンドから３３億ポンドと推定されている。調査によると、パーキンソン病の費用は、早期診断の向上によって大幅に削減でき、この向上は、計画、将来の入院の回避、および臨床管理の向上に役立つであろうと示されている。
【０００９】
分子レベルでは、アルファ−シヌクレイン凝集が、パーキンソン病（ＰＤ）、レビー小体型認知症（ＤＬＢ）、および多系統萎縮症（ＭＳＡ）の病態において中心的な役割を果たすことが知られている。アルファ−シヌクレインは、エキソソームおよび他の細胞外小胞の内部および外部で検出されてきた１４０アミノ酸長のタンパク質である（Ｌｏｏｖ  ｅｔ  ａｌ．，２０１６（非特許文献２）にレビュー）。パーキンソン病患者におけるアルファ−シヌクレインレベルの変化（例えば、脳脊髄液（ＣＳＦ）サンプルにおけるアルファ−シヌクレインレベルの僅かな低下）を示す多くの研究にも拘らず、異なる研究由来のデータは、一貫していない。また、ラボ間でのアルファ−シヌクレインを測定する方法の標準化は、困難であることが判明している。したがって、現在利用可能な方法論を使用すると、対象の生体サンプル（細胞外小胞サンプルが挙げられる）内に存在するアルファ−シヌクレインの総量は、疾患の信頼できるバイオマーカーであると思われない。
【００１０】
その病的状態において、アルファ−シヌクレインは、その本来の構造を失っている。構造的に変化したアルファ−シヌクレインは、二量体および三量体の形成を開始し、続いて可溶性オリゴマーおよびプロトフィブリルを形成し、そしてフィブリルとして堆積し、かつ凝集体として成熟する場合がある。
【００１１】
最近、エキソソームは、パーキンソン病が挙げられる種々の神経変性障害におけるミスフォールドタンパク質の伝播に関係していることが示された。例えば、細胞外アルファ−シヌクレインは最近、病的ニューロンから健康なニューロンへの、病的アルファ−シヌクレインのプリオン様伝達に包含されており、ミスフォールドアルファ−シヌクレインは、可溶性アルファ−シヌクレインの凝集を誘導する種として機能している可能性があった。
【００１２】
リアルタイム震え誘導変換（ＲＴ−ＱｕＩＣ）と呼ばれる最近の手法は、プリオンタンパク質が自己凝集を誘導する能力を利用するものであり、最近、ＤＬＢ患者およびパーキンソン病患者由来のＣＳＦサンプルにおいて、病的アルファ−シヌクレインを検出するのに使用されてきた（Ｆａｉｒｆｏｕｌ  ｅｔ  ａｌ．，２０１６（非特許文献３））。また、最近、アルファ−シヌクレイン凝集の存在を検出する代替方法が開発された（「タンパク質ミスフォールディングサイクリック増幅（ＰＭＣＡ）」）（Ｈｅｒｖａ  ｅｔ  ａｌ．，２０１４（非特許文献４））。これらの方法は有望であるが、各アッセイを完了するのにかかる時間は長く、分析に必要なサンプル（ＣＳＦまたは脳ホモジェネート）は侵襲的な手順を必要とするので、疾患の疑いの指標が高い患者（例えば、臨床症状および疾患の指標がいくつかある、疾患進行の後期段階にある患者）への使用が制限される。
【先行技術文献】
【非特許文献】
【００１３】
【非特許文献１】Ｓａｌｖａｄｏｒｅｓ  ｅｔ  ａｌ．，２０１４
【非特許文献２】Ｌｏｏｖ  ｅｔ  ａｌ．，２０１６
【非特許文献３】Ｆａｉｒｆｏｕｌ  ｅｔ  ａｌ．，２０１６
【非特許文献４】Ｈｅｒｖａ  ｅｔ  ａｌ．，２０１４
【発明の概要】
【発明が解決しようとする課題】
【００１４】
ＰＤまたはＤＬＢ等の初期段階のタンパク質ミスフォールディング神経変性障害の診断ツールを向上させる必要がある。
【課題を解決するための手段】
【００１５】
本発明者らは今般、驚くべきことに、ＰＤまたはＤＬＢの患者由来の細胞外小胞サンプルにおける病的アルファ−シヌクレインの存在が、疾患を、そして重要なことには、臨床症状をまだ示していないヒトにおいて疾患を発症するリスクを識別または監視するのに信頼できるマーカーとして使用することができることを発見した。また、ＰＤおよびＤＬＢの患者から得られる細胞外小胞の脂質組成が、対照の脂質組成（特に、細胞外小胞のセラミド組成）とは大きく異なることを実証した。したがって、本発明者らは、疾患を検出、監視、かつ診断する新規の手段を提供した。
【００１６】
本発明者らは、サイズ排除クロマトグラフィ（ＳＥＣ）を使用して、病的アルファ−シヌクレインの後の検出に使用される細胞外小胞（ＥＶ）サンプルを得た。ＳＥＣの使用は、小胞の、密度ではなくサイズに基づいてＥＶを富化するための非常に穏やかな手段であり、タンパク質複合体の形成、小胞の凝集、およびサンプル中に存在する他の脂質の富化のリスクがないため、有利である（Ｂｏｉｎｇ  ｅｔ  ａｌ．，２０１４にレビュー）。しかしながら、本発明は、他の方法によって得られるＥＶサンプルにも等しく使用され、その例を以下でより詳細に説明する。
【００１７】
本発明者らは、ＥＶにおける病的アルファ−シヌクレインの存在を、自己凝集を誘導する能力を利用することによって検出した。病的アルファ−シヌクレインを検出する既知の方法を使用して、ＥＶサンプルをアッセイして、より迅速かつより感度の高いアッセイプロトコルを提供することができることを示した。一例として、発明者らは、既知の方法、ＲＴ−ＱｕＩＣを使用して、患者サンプル中の病的アルファ−シヌクレインを検出するのに必要な時間を、（方法をさらに最適化せずに）単離されたＥＶを使用する場合に、約１２０時間（現在のアッセイ時間）から４８〜８０時間に短縮することができることを確認した。アッセイの更なる洗練により、より迅速なアッセイ法が可能となるであろう。
【００１８】
本発明は、病的アルファ−シヌクレインを検出する手段としてＲＴ−ＱｕＩＣを使用して例示したが、病的アルファ−シヌクレインを検出する他の適切なあらゆる方法が使用されてもよい。代替の非限定的な例として、ＰＭＣＡが使用されてもよい（Ｈｅｒｖａ  ｅｔ  ａｌ．，２０１４）。
【００１９】
発明者らは、いくつかの異なる生体サンプル（病的アルファ−シヌクレインの検出に適していないことが以前に示されたサンプルを含む）から得たＥＶサンプルが、疾患（または疾患のリスク）を検出、監視、かつ識別するのに確実に使用され得ることを示した。有利には、低侵襲性または非侵襲性の手段によって得ることができる生体サンプル（血液、尿、または唾液等）が今般、病的アルファ−シヌクレインを検出するためのＥＶの源として使用することができる。したがって、本発明者らは、疾患（または疾患のリスク）を検出、監視、かつ識別するのにより感度の高い手段を開発した。
【００２０】
さらに、本発明者らは、病的アルファ−シヌクレインの検出を使用して、臨床症状が発生する前であっても、前駆アルファシヌクレイノパチーを検出することができることを示した。したがって、本明細書中に記載される方法は、疾患（または疾患のリスク）の初期段階を検出、監視、かつ識別するのに使用することができる。したがって、パーキンソン病またはＤＬＢ等のアルファシヌクレイノパチー患者の早期臨床評価のための、疾患の特徴を検出するより感度の高い手段を提供する。
【００２１】
本発明は、ＰＤ患者およびＤＬＢ患者から得られるＥＶサンプル中の病的アルファ−シヌクレインを検出することによって、例示された。しかしながら、本発明は、病的状態にある場合に、（例えば、オリゴマーおよびフィブリルに）凝集する他の病的プリオン様タンパク質の検出にも等しく使用される。有利には、これらのプリオン様病的タンパク質のそれぞれの存在は、自己凝集を誘導する能力を利用することによって検出することができる（故に、ＲＴ−ＱｕＩＣおよびＰＭＣＡ（またはその変更バージョン）等の方法を、検出に使用することができる）。
【００２２】
本発明者らはまた、ＰＤ患者またはＤＬＢ患者のＣＳＦサンプルから得られるＥＶが、対照と比較して、大きな脂質変化を示すことを確認した。当該データは、患者のＥＶ中の大きな脂質変化が、病状に重要であることを示唆している。特定の理論に拘束されないが、当該脂質変化は、本明細書中に記載される病的アルファ−シヌクレインを検出する方法の高い感度および特異性の一部を構成すると思われる。というのも、アルファ−シヌクレイン凝集アッセイは、双方の改変（セラミド組成の変化、およびシヌクレインフォールディングを誘発する能力）に応答し得るからである。病状におけるセラミドの変化は、非常に重要であり、患者の脳組織において観察される変化と類似する（ＤＬＢ患者およびパーキンソン病患者の双方について；データ未発表）。有利には、脂質組成の変化は、特にアルファシヌクレイノパチーに関して、より具体的にはＰＤおよび／またはＤＬＢに関して、疾患（または疾患のリスク）を検出、監視、かつ識別するためのバイオマーカーとして使用することができる。
【００２３】
一態様において、本発明は、対象におけるタンパク質ミスフォールディング神経変性障害を識別または監視するインビトロ方法であって、病的プリオン様タンパク質の存在について、対象由来の細胞外小胞サンプルをアッセイする工程を含み、病的プリオン様タンパク質の存在は、タンパク質ミスフォールディング神経変性障害を示す、方法を提供する。場合によっては、タンパク質ミスフォールディング神経変性障害は、アルファシヌクレイノパチーであり、病的プリオン様タンパク質は、アルファ−シヌクレインである。
【００２４】
別の態様において、本発明は、対象がタンパク質ミスフォールディング神経変性障害を発症するリスクを判定するインビトロ方法であって、病的プリオン様タンパク質の存在について、対象由来の細胞外小胞サンプルをアッセイする工程を含み、病的プリオン様タンパク質の存在は、対象がタンパク質ミスフォールディング神経変性障害を発症する高いリスクを示す、方法を提供する。場合によっては、タンパク質ミスフォールディング神経変性障害は、アルファシヌクレイノパチーであり、病的プリオン様タンパク質は、アルファ−シヌクレインである。
【００２５】
別の態様において、本発明は、タンパク質ミスフォールディング神経変性障害を患っている疑いがある、またはタンパク質ミスフォールディング神経変性障害の発症リスクが高い対象において、病的プリオン様タンパク質の存在を判定するインビトロ方法を提供し、当該方法は、以下の工程を含む：
（ａ）対象から細胞外小胞サンプルを用意する工程；および
（ｂ）細胞外小胞サンプル中の病的プリオン様タンパク質の存在を判定する工程。場合によっては、タンパク質ミスフォールディング神経変性障害は、アルファシヌクレイノパチーであり、病的プリオン様タンパク質は、アルファ−シヌクレインである。
【００２６】
別の態様において、本発明は、疾患がある対象について処置を選択するインビトロ方法を提供し、当該方法は、対象由来の細胞外小胞サンプル中の病的プリオン様タンパク質の存在を判定する工程を含み、病的プリオン様タンパク質の存在は、対象がタンパク質ミスフォールディング神経変性障害用の処置から利益を得ることとなることを示す。場合によっては、タンパク質ミスフォールディング神経変性障害は、アルファシヌクレイノパチーであり、病的プリオン様タンパク質は、アルファ−シヌクレインである。
【００２７】
適切には；
ａ）タンパク質ミスフォールディング神経変性障害は、パーキンソン病、レビー小体型認知症、および多系統萎縮症からなる群から選択されるアルファシヌクレイノパチーであり；病的プリオン様タンパク質は、病的アルファ−シヌクレインであり；
ｂ）タンパク質ミスフォールディング神経変性障害は、クロイツフェルト・ヤコブ病であり；病的プリオン様タンパク質は、プリオンタンパク質であり；
ｃ）タンパク質ミスフォールディング神経変性障害は、アルツハイマー病であり；病的プリオン様タンパク質は、病的アミロイドベータであり；
ｄ）タンパク質ミスフォールディング神経変性障害は、アルツハイマー病、前頭側頭葉変性症、進行性核上性麻痺、または皮質基底核変性症からなる群から選択されるタウオパチーであり；病的プリオン様タンパク質は、病的タウタンパク質であり；
ｅ）タンパク質ミスフォールディング神経変性障害は、ハンチントン病であり；病的プリオン様タンパク質は、病的ハンチンチンタンパク質（ｈｕｎｔｉｎｇｔｉｎ  ｐｒｏｔｅｉｎ）であり；
ｆ）タンパク質ミスフォールディング神経変性障害は、運動ニューロン疾患であり；病的プリオン様タンパク質は、病的スーパーオキシドジスムターゼ、ｃ９ｏｒｆ７２、およびバロシン、ならびに運動ニューロン疾患に関連する他のプリオン様タンパク質からなる群から選択され；
ｇ）タンパク質ミスフォールディング神経変性障害は、デンタトパリドルブロルイジアン萎縮症であり；病的プリオン様タンパク質は、病的アトロフィンタンパク質であり；または
ｈ）タンパク質ミスフォールディング神経変性障害は、脊髄小脳失調症であり；病的プリオン様タンパク質は、病的アタキシンであり、場合によっては、病的アタキシンは、アタキシン−１、アタキシン−２、およびアタキシン−３からなる群から選択される。
【００２８】
適切には、対象はヒトである。
【００２９】
適切には、対象は、タンパク質ミスフォールディング神経変性障害を患っている、または患っている疑いがある。場合によっては、タンパク質ミスフォールディング神経変性障害は、アルファシヌクレイノパチーである。
【００３０】
適切には、対象は、タンパク質ミスフォールディング神経変性障害を患っている。場合によっては、タンパク質ミスフォールディング神経変性障害は、アルファシヌクレイノパチーである。
【００３１】
適切には、対象は、初期段階のタンパク質ミスフォールディング神経変性障害を患っている。場合によっては、タンパク質ミスフォールディング神経変性障害は、アルファシヌクレイノパチーである。
【００３２】
適切には、細胞外小胞サンプルは、ＣＳＦ、血液、脳組織ホモジェネート、尿、唾液、またはそれらの組合せから選択される生体サンプルから得られる。
【００３３】
適切には、血液サンプルは、血漿、血清、血小板、およびバフィーコートからなる群から選択される。
【００３４】
適切には、細胞外小胞サンプルは、サイズ排除クロマトグラフィを使用して得られる。
【００３５】
適切には、当該方法はさらに、以下の工程を含む：
ｉ）対象由来の生体サンプルを用意する工程；および
ｉｉ）サイズ排除クロマトグラフィを使用して、生体サンプルから細胞外小胞サンプルを得る工程。
【００３６】
適切には、病的プリオン様タンパク質の存在は、ＲＴ−ＱｕＩＣまたはＰＭＣＡを使用して検出される。場合によっては、病的プリオン様タンパク質はアルファ−シヌクレインである。
【００３７】
別の態様において、本発明は、対象におけるタンパク質ミスフォールディング神経変性障害の識別もしくは監視のための、または対象におけるタンパク質ミスフォールディング神経変性障害の発症リスクを判定するための、インビトロ細胞外小胞サンプルの使用を提供する。場合によっては、タンパク質ミスフォールディング神経変性障害は、アルファシヌクレイノパチーである。
【００３８】
適切には、当該使用は、本明細書中に記載される特徴のいずれかを含む。
【００３９】
別の態様において、本発明は、対象においてアルファシヌクレイノパチーを識別または監視するインビトロ方法を提供し、以下の工程を含む：
ａ）対象の細胞外小胞サンプル中の、Ｃｅｒ  ３２：１、Ｃｅｒ  ３３：１、Ｃｅｒ  ３４：１、Ｃｅｒ  ３４：２、Ｃｅｒ  ３７：１、Ｃｅｒ  ３８：１、Ｃｅｒ  ３８：２、Ｃｅｒ  ３９：１、Ｃｅｒ  ３９：２、Ｃｅｒ  ４０：１、Ｃｅｒ  ４０：２、Ｃｅｒ  ４１：１、Ｃｅｒ  ４１：２、Ｃｅｒ  ４０：１（ＯＨ）、およびＣｅｒ  ４０：２（ＯＨ）からなる群から選択される少なくとも１つのセラミド種の量を評価する工程；
ｂ）少なくとも１つのセラミド種の評価量を、少なくとも１つのセラミド種についての参照値と比較する工程；
ここで、少なくとも１つのセラミド種についての参照値よりも大きい少なくとも１つのセラミド種の評価量が、アルファシヌクレイノパチーを示す。
【００４０】
別の態様において、本発明は、対象がアルファシヌクレイノパチーを発症するリスクを判定するインビトロ方法を提供し、以下の工程を含む：
ａ）対象の細胞外小胞サンプル中の、Ｃｅｒ  ３２：１、Ｃｅｒ  ３３：１、Ｃｅｒ  ３４：１、Ｃｅｒ  ３４：２、Ｃｅｒ  ３７：１、Ｃｅｒ  ３８：１、Ｃｅｒ  ３８：２、Ｃｅｒ  ３９：１、Ｃｅｒ  ３９：２、Ｃｅｒ  ４０：１、Ｃｅｒ  ４０：２、Ｃｅｒ  ４１：１、Ｃｅｒ  ４１：２、Ｃｅｒ  ４０：１（ＯＨ）、およびＣｅｒ  ４０：２（ＯＨ）からなる群から選択される少なくとも１つのセラミド種の量を評価する工程；
ｂ）少なくとも１つのセラミド種の評価量を、少なくとも１つのセラミド種についての参照値と比較する工程；
ここで、少なくとも１つのセラミド種についての参照値よりも大きい少なくとも１つのセラミド種の評価量が、対象がアルファシヌクレイノパチーを発症するリスクが高いことを示す。
【００４１】
別の態様において、本発明は、アルファシヌクレイノパチーを患っている疑いがある、またはアルファシヌクレイノパチーの発症リスクが高い対象において、Ｃｅｒ  ３２：１、Ｃｅｒ  ３３：１、Ｃｅｒ  ３４：１、Ｃｅｒ  ３４：２、Ｃｅｒ３７：１、Ｃｅｒ  ３８：１、Ｃｅｒ  ３８：２、Ｃｅｒ  ３９：１、Ｃｅｒ  ３９：２、Ｃｅｒ  ４０：１、Ｃｅｒ  ４０：２、Ｃｅｒ  ４１：１、Ｃｅｒ  ４１：２、Ｃｅｒ  ４０：１（ＯＨ）、およびＣｅｒ  ４０：２（ＯＨ）からなる群から選択される少なくとも１つのセラミド種の量を評価するインビトロ方法を提供し、当該方法は、以下の工程を含む：
（ａ）対象から細胞外小胞サンプルを用意する工程；および
（ｂ）細胞外小胞サンプル中の、Ｃｅｒ  ３２：１、Ｃｅｒ  ３３：１、Ｃｅｒ  ３４：１、Ｃｅｒ  ３４：２、Ｃｅｒ  ３７：１、Ｃｅｒ  ３８：１、Ｃｅｒ  ３８：２、Ｃｅｒ  ３９：１、Ｃｅｒ  ３９：２、Ｃｅｒ  ４０：１、Ｃｅｒ  ４０：２、Ｃｅｒ  ４１：１、Ｃｅｒ  ４１：２、Ｃｅｒ  ４０：１（ＯＨ）、およびＣｅｒ  ４０：２（ＯＨ）からなる群から選択される少なくとも１つのセラミド種の量を評価する工程。
【００４２】
別の態様において、本発明は、疾患がある対象について処置を選択するインビトロ方法を提供し、以下の工程を含む：
ａ）対象の細胞外小胞サンプル中の、Ｃｅｒ  ３２：１、Ｃｅｒ  ３３：１、Ｃｅｒ  ３４：１、Ｃｅｒ  ３４：２、Ｃｅｒ  ３７：１、Ｃｅｒ  ３８：１、Ｃｅｒ  ３８：２、Ｃｅｒ  ３９：１、Ｃｅｒ  ３９：２、Ｃｅｒ  ４０：１、Ｃｅｒ  ４０：２、Ｃｅｒ  ４１：１、Ｃｅｒ  ４１：２、Ｃｅｒ  ４０：１（ＯＨ）、およびＣｅｒ  ４０：２（ＯＨ）からなる群から選択される少なくとも１つのセラミド種の量を評価する工程；
ｂ）少なくとも１つのセラミド種の評価量を、少なくとも１つのセラミド種についての参照値と比較する工程；
ここで、少なくとも１つのセラミド種についての参照値よりも大きい少なくとも１つのセラミド種の評価量が、対象がアルファシヌクレイノパチー用の処置から利益を得ることとなることを示す。
【００４３】
適切には、アルファシヌクレイノパチーは、パーキンソン病、レビー小体型認知症、および多系統萎縮症からなる群から選択される。
【００４４】
適切には、対象はヒトである。
【００４５】
適切には、対象は、アルファシヌクレイノパチーを患っている、または患っている疑いがある。
【００４６】
適切には、対象は、アルファシヌクレイノパチーを患っている。
【００４７】
適切には、対象は、初期段階のアルファシヌクレイノパチーを患っている。
【００４８】
適切には、細胞外小胞サンプルは、ＣＳＦ、血液、脳組織ホモジェネート、尿、唾液、またはそれらの組合せから選択される生体サンプルから得られる。
【００４９】
適切には、血液サンプルは、血漿、血清、血小板、およびバフィーコートからなる群から選択される。
【００５０】
適切には、細胞外小胞サンプルは、サイズ排除クロマトグラフィを使用して得られる。
【００５１】
適切には、当該方法はさらに、以下の工程を含む：
ｉ）対象由来の生体サンプルを用意する工程；および
ｉｉ）サイズ排除クロマトグラフィを使用して、生体サンプルから細胞外小胞サンプルを得る工程。
【００５２】
適切には、参照値は、対照サンプルから得られ、または所定の参照値である。
【００５３】
別の態様において、本発明は、対象におけるアルファシヌクレイノパチーの識別もしくは監視のための、または対象におけるアルファシヌクレイノパチーの発症リスクを判定するための、Ｃｅｒ  ３２：１、Ｃｅｒ  ３３：１、Ｃｅｒ  ３４：１、Ｃｅｒ  ３４：２、Ｃｅｒ３７：１、Ｃｅｒ  ３８：１、Ｃｅｒ  ３８：２、Ｃｅｒ  ３９：１、Ｃｅｒ  ３９：２、Ｃｅｒ  ４０：１、Ｃｅｒ  ４０：２、Ｃｅｒ  ４１：１、Ｃｅｒ  ４１：２、Ｃｅｒ  ４０：１（ＯＨ）、およびＣｅｒ  ４０：２（ＯＨ）からなる群から選択される少なくとも１つの細胞外小胞セラミド種の使用を提供する。
【００５４】
適切には、当該使用は、本明細書中に記載される特徴のいずれかを含む。
【００５５】
本明細書の記載および特許請求の範囲を通して、文言「含む」および「含有する」、ならびにそれらの変形は、「含むが、これに限定されない」を意味し、他の部分、付加物、成分、整数、または工程を除外することが意図されない（そして除外しない）。
【００５６】
本明細書の記載および特許請求の範囲を通して、単数形は、文脈上別段の解釈が必要でない限り、複数形を包含する。特に、不定冠詞が用いられる場合、本明細書は、文脈上別段の解釈が必要でない限り、複数性および単数性を意図すると理解されるべきである。
【００５７】
本発明の特定の態様、実施形態、または実施例に関連して記載される特徴、整数、特性、化合物、化学部分、または基は、本明細書中に記載される他のあらゆる態様、実施形態、または実施例に、矛盾しない限り、適用可能であると理解されるべきである。
【００５８】
本発明の種々の態様を、以下でさらに詳細に説明する。
【図面の簡単な説明】
【００５９】
本発明の実施形態は、添付の図面を参照して、以下でさらに説明される。
【００６０】
【図１】死後ＣＳＦから精製した細胞外小胞の代表的な電子顕微鏡画像を示す。
【図２】小胞のサイズおよび濃度を示すＴＲＰＳ分析結果の代表的な画像を示す。
【図３】サンプル中のエキソソームマーカーの存在の、ウエスタンブロット分析および免疫電子顕微鏡観察の代表的な画像を示す。
【図４】死後の脳脊髄液から精製した細胞外小胞の膜と関連するアルファ−シヌクレインの免疫金標識を示す。グラフは、アルファ−シヌクレインによって標識した種々の小胞サイズの存在量を表す。データは、全てのサンプルにわたってプールしたため、混合集団を表す。
【図５】内部アルファ−シヌクレインの標識、およびアルファ−シヌクレインによって標識した種々の小胞サイズを示す。データは、全てのサンプルにわたってプールしたため、混合集団を表す。
【図６】対照と比較した、アルファシヌクレイノパチー患者由来のＥＶ中で確認されたセラミド種の変化を示す。ポジティブイオンモードデータ。
【図７】対照と比較した、アルファシヌクレイノパチー患者由来のＥＶ中で確認されたセラミド種の変化を示す。ネガティブイオンモードデータ。
【図８】前頭皮質細胞外小胞の精製および分析を示す。
【図９】精製した前頭皮質細胞外小胞マーカーのウエスタンブロット分析を示す。カルネキシンおよびポリンの不在は、画分の純度、ならびに細胞およびシナプス物質による夾雑の欠如を示す。ＬＢＤ−レビー小体病。ＭＴ、ＷＴ−変異型、野生型。
【図１０】エキソソームマーカーのウエスタンブロット分析を示す。
【図１１】溶解した前頭皮質小胞に対するアルファ−シヌクレインＥＬＩＳＡの結果を示す。
【図１２】プロセシング未処理の死後ＣＳＦ、および精製した細胞外小胞を使用したＲＴ−ＱＵＩＣの結果を示す。死後ＣＳＦ由来小胞を使用することによって、本発明者らは、臨床症状が発生する前であっても、パーキンソン病の病理を検出することができた（指数線は、疾患の特徴の確実な検出を示す）（前駆シヌクレイノパチーを参照）。ＰＤ−パーキンソン病、ＤＬＢ−レビー小体型認知症、ＰＤＤ−パーキンソン病認知症。プロセシング未処理の腰椎ＣＳＦを使用するオリジナルの方法（Ｆａｉｒｆｏｕｌ  ｅｔ  ａｌ．２０１６に提示）と比較して、アッセイの陽性シグナルをより早期に検出することができた。これは、アッセイをより速くする見込みがある（すなわち、１２０時間（現在のアッセイ時間）と比較して、４８〜８０時間（追加の最適化なし））。
【図１３】パーキンソン病のプロセシング未処理の血漿、血小板、およびバフィーコートＲＴ−ＱＵＩＣの結果を示す。
【図１４】精製した血小板小胞によるＲＴ−ＱＵＩＣの結果を示す。
【図１５】精製した血漿小胞によるＲＴ−ＱＵＩＣの結果を示す。
【図１６】ヒト尿から精製した細胞外小胞のＴＥＭ画像を示す。
【図１７】超遠心分離を使用してヒト死後ＣＳＦから精製した細胞外小胞のＴＥＭ画像を示す。
【図１８】レビー小体型認知症およびパーキンソン病のＣＳＦサンプルについて、超遠心分離によって単離した細胞外小胞を使用したタンパク質凝集アッセイの結果を示す。測定は、１１５時間にわたって１５分毎に行った。  ＰＤ−パーキンソン病、ＤＬＢ−レビー小体型認知症、ＵＣ−超遠心分離。
【図１９】健康対照のサンプルについて、超遠心分離によって単離した細胞外小胞を使用したタンパク質凝集アッセイの結果を示す。Ｃ−対照、ＵＣ−超遠心分離。
【図２０】パーキンソン病認知症脳ホモジェネート、レビー小体型認知症前頭皮質細胞外小胞、および対照前頭皮質細胞外小胞を使用したタンパク質凝集アッセイの結果を示す。ＰＤＤ−パーキンソン病認知症、ＤＬＢ−レビー小体型認知症、Ｃ−対照。
【図２１】尿細胞外小胞分析の盲検化分析を示す。ドナーを以下のように臨床診断した：尿２−対照；尿４−ＰＳＰ；尿５−ＭＳＡ；尿６−ＰＳＰ。これらのデータは、尿サンプルからアルファシヌクレイノパチーを明確に識別することができることを示す（尿５−ＭＳＡを参照。ここでは、双方の反復で、アルファ−シヌクレインタンパク質凝集アッセイにおいて、対照と比較して、陽性の結果が得られた）。尿サンプルは、臨床診断を受けたが神経病理学的診断をまだ実施していない、生きている患者から採取している。図２１に示す結果に基づいて、本発明者らは、尿４の患者において、少量のアルファ−シヌクレインの病状が存在すると疑っている。というのも、双方の反復が陽性であるが、シグナルは、ＭＳＡ尿５と比較して、後に表れているからである。尿６は、反復の１つが陰性である（すなわち、反復が、一貫したパターンを示さない）ため、偽陽性の可能性がある。
【図２２】尿細胞外小胞の盲検化分析を示す。ドナーを以下のように臨床診断した：尿７−対照；尿９−ＰＳＰ；尿１０−ＰＳＰ。尿サンプルは、臨床診断を受けたが神経病理学的診断をまだ実施していない、生きている患者から採取している。したがって、一部の対照は、実際には一部の病状があるが、まだ臨床症状を示していない可能性がある（特に、尿７を参照。ここでは、反復の１つが、アルファ−シヌクレインタンパク質凝集アッセイにおいて何らかの陽性シグナルを示した。これに対して、反復の１つが陰性である（すなわち、反復が、一貫したパターンを示さない）ため、これは偽陽性である可能性がある）。
【発明の詳細な説明】
【００６１】
本発明者らは今般、驚くべきことに、ＰＤまたはＤＬＢの患者由来の細胞外小胞サンプルにおける病的アルファ−シヌクレインの存在が、疾患（または疾患の発症リスク）を識別または監視するのに信頼できるマーカーとして使用することができることを発見した。また、ＰＤおよびＤＬＢの患者から得られる細胞外小胞の脂質組成が、対照の脂質組成（特に、細胞外小胞膜のセラミド組成）とは大きく異なることを実証した。したがって、本発明者らは、疾患を検出、監視、かつ診断する新規の手段を提供した。
【００６２】
対象におけるタンパク質ミスフォールディング神経変性障害を識別または監視するインビトロ方法であって、病的プリオン様タンパク質の存在について、対象由来の細胞外小胞サンプルをアッセイする工程を含み、病的プリオン様タンパク質の存在は、タンパク質ミスフォールディング神経変性障害を示す、方法が本明細書で提供される。
【００６３】
当業者にとって、ＥＶサンプル中に存在する特定の病的プリオン様タンパク質が、特定の（すなわち対応する）タンパク質ミスフォールディング神経変性障害を識別することは明らかである。病的プリオン様タンパク質と、その対応するタンパク質ミスフォールディング神経変性障害との関連は、当該技術分野において周知である。例として、ＥＶサンプル中に存在する特定の病的プリオン様タンパク質がアルファ−シヌクレインである場合、これにより、特定の（すなわち対応する）タンパク質ミスフォールディング神経変性障害が、アルファシヌクレイノパチー、例えばパーキンソン病またはレビー小体型認知症であると識別される。特定の病的プリオン様タンパク質、およびその対応するタンパク質ミスフォールディング神経変性障害の他の例が、本出願の全体にわたって示されている。これは、本明細書中に記載される全ての実施形態にあてはまる。
【００６４】
また、対象がタンパク質ミスフォールディング神経変性障害を発症するリスクを判定するインビトロ方法であって、病的プリオン様タンパク質の存在について、対象由来の細胞外小胞サンプルをアッセイする工程を含み、病的プリオン様タンパク質の存在は、対象がタンパク質ミスフォールディング神経変性障害を発症する高いリスクを示す、方法が本明細書中で提供される。
【００６５】
適切なサンプルの分析からの、対象におけるタンパク質ミスフォールディング神経変性障害の識別は、特に症状の臨床評価および／または対象の神経物理学的評価等の他の診断方法と併せて実行される場合に、容体の診断と等しい。したがって、フレーズ「タンパク質ミスフォールディング神経変性障害の識別」（または相当語句）および「タンパク質ミスフォールディング神経変性障害の診断」（または相当語句）は、本明細書中で互換的に使用される。
【００６６】
対象におけるタンパク質ミスフォールディング神経変性障害の経時的な監視は、疾患の進行（例えば、病状または疾患症状の悪化）の、または（例えば、処置期間にわたる）病状もしくは症状の改善の、可能な限り早期の識別に役立つ。そのような監視は、当然、経時的に繰り返されるサンプルの採取を包含する。したがって、当該方法は、特定の対象について、１つまたは複数の時間間隔にて繰り返されてよく、その結果は、当該対象のタンパク質ミスフォールディング神経変性障害の発生、進行、または改善を経時的に監視するために比較される。ここで、対象のＥＶサンプル中の病的プリオン様タンパク質の量の変化が、対象におけるタンパク質ミスフォールディング神経変性障害の進行の変化を示す。
【００６７】
疾患の経時的な進行が、２つ以上の時間間隔の結果が比較された場合に検出される病的プリオン様タンパク質の量の増大によって示され得る。言い換えると、当該方法が複数回実行されれば、後の時間間隔にて検出される病的プリオン様タンパク質の量が、より早い時間間隔にて検出される量よりも多い場合に、疾患の進行が示され得る。病的プリオン様タンパク質の量の「増大」は、当該方法が同じ対象（および同等のＥＶサンプルタイプ）に以前に（すなわち、より早い時間間隔にて）実行された場合に、病的プリオン様タンパク質が検出されなかった（すなわち、検出可能なレベルにて存在しなかった）場合の、後の時間間隔での病的プリオン様タンパク質の検出を包含する。
【００６８】
疾患の進行を監視するのに適した時間間隔が、当業者によって容易に識別され得、そして監視されることとなる特定のタンパク質ミスフォールディング神経変性障害によって決まることとなる。非限定的な例として、当該方法は、パーキンソン病の進行を監視する場合、少なくとも６ヶ月毎、または少なくとも毎年、または少なくとも隔年で繰り返されてもよい。
【００６９】
病状または症状の（例えば、処置期間にわたる）改善が、２つ以上の時間間隔の結果が比較された場合に検出される病的プリオン様タンパク質の量の減少によって示され得る。言い換えると、当該方法が複数回実行されれば、後の時間間隔にて検出される病的プリオン様タンパク質の量が、より早い時間間隔にて検出される量よりも少ない（すなわち、減少している）場合に、病状の改善が示され得る。したがって、病的プリオン様タンパク質の量の「減少」は、病的プリオン様タンパク質が、同じ対象（および同等のＥＶサンプルタイプ）について、検出されなかった（すなわち、プリオン様タンパク質は、後の時間間隔にて検出できなかった、または不在であった）、初期の時間間隔での病的プリオン様タンパク質の検出に続く、後の時間間隔での当該方法の繰返しを包含する。
【００７０】
病状または症状の（例えば、処置期間にわたる）改善はまた、（同等の期間にわたる処置なしで観察された病的プリオン様タンパク質のレベルと比較した、または同等の対照と比較した）経時的な病的プリオン様タンパク質のゆっくりとした増大、または経時的な病的プリオン様タンパク質レベルの安定化によって示され得る。
【００７１】
病状または症状の（例えば、対象の処置中の）改善を監視するのに適した時間間隔は、当業者によって容易に識別され得、そして監視されることとなる特定のタンパク質ミスフォールディング神経変性障害によって決まることとなる。非限定的な例として、当該方法は、（例えば、パーキンソン病の対象の処置中に）パーキンソン病を監視する場合、少なくとも６ヶ月毎、または少なくとも毎年、または少なくとも隔年で繰り返されてもよい。
【００７２】
対象がタンパク質ミスフォールディング神経変性障害を発症するリスクの判定は、疾患の可能な限り早期の識別に役立つ。
これにより、疾患の進行の初期段階での早期の介入および／または処置の開始が可能となる。また、高リスクの個体（すなわち、疾患を発症する可能性が非常に高い、または可能性がより高い個体）を監視して、処置または予防措置を、最も早い機会に実施できるようにする手段を提供する。この文脈において、本発明者らは、本明細書中に記載される方法を使用して、臨床症状が発生する前であっても、前駆アルファシヌクレイノパチーを首尾よく検出することができることを示した。したがって、本明細書中に記載される方法は、疾患（または疾患のリスク）の初期段階を検出、監視、かつ識別するのに使用することができる。したがって、パーキンソン病等のアルファシヌクレイノパチー患者の早期臨床評価のための、疾患の特徴を検出するより感度の高い手段を提供する。
【００７３】
本明細書中に記載される方法は、対象におけるタンパク質ミスフォールディング神経変性障害を識別もしくは監視する、または対象がタンパク質ミスフォールディング神経変性障害を発症するリスクを判定する新規の手段を提供する。
【００７４】
本明細書中で使用される「タンパク質ミスフォールディング障害」は、あるクラスの障害（プロテイノパチー、プロテオパチー、タンパク質構造障害、またはタンパク質ミスフォールディング疾患としても知られている）を指し、ここで、特定のタンパク質が、構造的に異常となることによって、身体の細胞、組織、および臓器の機能を破壊する。典型的には、当該病的タンパク質は、正常な構成にフォールドせず、このミスフォールド状態において、タンパク質は何らかの方法で毒性になる場合があり（毒性機能の獲得）、または正常な機能を失う場合がある。
【００７５】
本明細書中で使用される「タンパク質ミスフォールディング神経変性障害」は、神経系の、特に脳内のニューロンの変性と関連するタンパク質ミスフォールディング障害のサブセットを指す。この障害群として、パーキンソン病（パーキンソン病認知症を含む）、レビー小体型認知症、多系統萎縮症、クロイツフェルト・ヤコブ病、アルツハイマー病、タウオパチー（アルツハイマー病、前頭側頭葉変性症、進行性核上性麻痺、および皮質基底核変性症等）、ハンチントン病、運動ニューロン疾患、デンタトパリドルブロルイジアン萎縮症、脊髄小脳失調症、およびその他の多くが挙げられる（Ｓａｌｖａｄｏｒｅｓ  ｅｔ  ａｌ．，２０１４）。これらのタンパク質ミスフォールディング神経変性障害毎に、特定の病的プリオン様タンパク質が、疾患において中心的な役割を果たすことが確認された。
【００７６】
例えば、アルファシヌクレイノパチーであるタンパク質ミスフォールディング神経変性障害（例えば、パーキンソン病（パーキンソン病認知症を含む）、レビー小体型認知症、および多系統萎縮症）について、病的プリオン様タンパク質は、病的アルファ−シヌクレインであり、これは、ヒトにおいて、ＮＣＢＩ  ＧｅｎＢａｎｋまたはＵｎｉＰｒｏｔ（Ｇｅｎｅ  ＩＤ：６６２２；Ｐｒｏｔｅｉｎ  ＩＤ：Ｐ３７８４０）を使用して識別することができる。
【００７７】
シヌクレイノパチーは、ニューロンおよびグリアの選択的集団内でのアルファ−シヌクレインのフィブリル凝集体の沈着と関連する、一セットの神経変性障害である。当該沈着物は、レビー小体（ＬＢ）等のニューロン体細胞内、またはパーキンソン病（ＰＤ）もしくはレビー小体型認知症（ＤＬＢ）等の疾患におけるジストロフィ性神経突起内、または多系統萎縮症（ＭＳＡ）におけるグリア細胞質封入体内で見出される。パーキンソン病、レビー小体型認知症、および多系統萎縮症等のシヌクレイノパチーは、臨床的に明確に定義されており、それらの詳細は、以下の参考文献内に見出すことができる：ＤＬＢについて、ＭｃＫｅｉｔｈ  ｅｔ  ａｌ．２０１７；ＰＤについて、Ｐｏｓｔｕｍａ  ｅｔ  ａｌ．２０１５；ＭＳＡについて、Ｋｉｍ  ｅｔ  ａｌ．２０１５。
【００７８】
本明細書で使用される「病的アルファ−シヌクレイン」は、Ｇａｌｌｅａ  ｅｔ  ａｌ．２０１４およびＴｕｔｔｌｅ  ｅｔ  ａｌ．２０１６に記載されているような、異常な構造コンフォメーションを有するアルファ−シヌクレインタンパク質を指す。
本明細書中の他の場所で説明されているように、病的アルファ−シヌクレインは、ベータ−シートフィブリルに凝集する傾向があり、そして二量体および三量体の形成を開始してから、フィブリルとして沈着し、かつ凝集体として成熟する可溶性オリゴマーおよびプロトフィブリルを形成する場合がある。したがって、病的アルファ−シヌクレインは、アルファ−シヌクレイン凝集体／アルファ−シヌクレイン凝集の存在によって直接検出することができる。当該タンパク質の凝集を検出するいくつかの方法が周知であり、ｉｍｍｕｎｏＥＭ、ＲＴ−ＱｕＩＣ、およびＰＭＣＡが挙げられる。
【００７９】
更なる例として、タンパク質ミスフォールディング神経変性障害がクロイツフェルト・ヤコブ病である場合、病的プリオン様タンパク質は、病的プリオンタンパク質であり、これは、ヒトにおいて、ＮＣＢＩ  ＧｅｎＢａｎｋまたはＵｎｉＰｒｏｔ（Ｇｅｎｅ  ＩＤ：５６２１；Ｐｒｏｔｅｉｎ  ＩＤ：Ｐ０４１５６）を使用して識別することができる。本明細書中で使用される「病的プリオンタンパク質」は、Ｇａｌｌａｇｈｅｒ−Ｊｏｎｅｓ  Ｍ ｅｔ  ａｌ．２０１８に記載されているような、異常な構造コンフォメーションを有するプリオンタンパク質を指す。病的プリオンタンパク質は、凝集して感染性プリオンを形成する傾向がある自己増殖性コンフォメーションにミスフォールドする。したがって、病的プリオンタンパク質は、プリオンタンパク質凝集体／プリオンタンパク質凝集の存在によって直接検出することができる。当該タンパク質の凝集を検出するいくつかの方法が周知であり、ｉｍｍｕｎｏＥＭ、ＲＴ−ＱｕＩＣ、およびＰＭＣＡが挙げられる。
【００８０】
クロイツフェルト・ヤコブ病は臨床的に明確に定義されており、その詳細は、Ｚｅｒｒ  ｅｔ  ａｌ．２００２内に見出すことができる
【００８１】
更なる例として、タンパク質ミスフォールディング神経変性障害がアルツハイマー病である場合、病的プリオン様タンパク質は、病的アミロイドベータであり、これは、ヒトにおいて、ＮＣＢＩ  ＧｅｎＢａｎｋまたはＵｎｉＰｒｏｔ（Ｇｅｎｅ  ＩＤ：３５１；Ｐｒｏｔｅｉｎ  ＩＤ：Ｐ０５０６７）を使用して識別することができる。本明細書で使用される「病的アミロイドベータ」または「Ａβ」は、アルツハイマー病患者の脳内に見出されるアミロイド斑の主成分である３６〜４３アミノ酸のペプチドを指す。当該ペプチドは、ベータセクレターゼおよびガンマセクレターゼによって切断されてＡβを生成するアミロイド前駆体タンパク質（ＡＰＰ）に由来する。Ａβ分子は凝集して、可撓性のある可溶性オリゴマーを形成し、これは、神経細胞に対して毒性がある。アミロイドベータの構造は、Ｓｃｈｍｉｄｔ  ｅｔ  ａｌ．２０１５に記載されている。Ａβは、Ａβ凝集体／Ａβ凝集の存在によって直接検出することができる。当該タンパク質の凝集を検出するいくつかの方法が周知であり、ｉｍｍｕｎｏＥＭ、ＲＴ−ＱｕＩＣ、およびＰＭＣＡが挙げられる。
【００８２】
アルツハイマー病は、臨床的に明確に定義されており、その詳細は、Ｄｅｓａｉ  ｅｔ  ａｌ．２００５；ＭｃＫｈａｎｎ  ｅｔ  ａｌ．２０１１；およびＤｕｂｏｉｓ  ｅｔ  ａｌ．２０１４において見出すことができる。
【００８３】
更なる例として、タンパク質ミスフォールディング神経変性障害がタウオパチー（例えば、アルツハイマー病、前頭側頭葉変性症、進行性核上性麻痺、または皮質基底核変性症）である場合、病的プリオン様タンパク質は、病的タウタンパク質であり、これは、ヒトにおいて、ＮＣＢＩ  ＧｅｎＢａｎｋまたはＵｎｉＰｒｏｔ（Ｇｅｎｅ  ＩＤ：４１３７；Ｐｒｏｔｅｉｎ  ＩＤ：Ｐ１０６３６）を使用して識別することができる。本明細書中で使用される「病的タウタンパク質」は、Ｆｉｔｚｐａｔｒｉｃｋ  ｅｔ  ａｌ．２０１７に記載されているような、異常な構造コンフォメーションを有するタウタンパク質を指す。病的タウタンパク質は、凝集する傾向がある自己増殖性コンフォメーションにミスフォールドする。したがって、病的タウタンパク質は、タウタンパク質凝集体／タウタンパク質凝集の存在によって直接検出することができる。当該タンパク質の凝集を検出するいくつかの方法が周知であり、ｉｍｍｕｎｏＥＭ、ＲＴ−ＱｕＩＣ、およびＰＭＣＡが挙げられる。
【００８４】
アルツハイマー病、前頭側頭葉変性症、進行性核上性麻痺、または皮質基底核変性症等のタウオパチーは、臨床的に明確に定義されており、その詳細は、例えば、Ｈｏｇｌｉｎｇｅｒ  ＧＵ  ｅｔ  ａｌ．２０１７；Ｇｉｌ  ｅｔ  ａｌ．，２０１０（前頭側頭葉変性症について）、およびＡｌｅｘａｎｄｅｒ  ｅｔ  ａｌ．，２０１４（皮質基底核変性症について）において見出すことができる。
【００８５】
更なる例として、タンパク質ミスフォールディング神経変性障害がハンチントン病である場合、病的プリオン様タンパク質は、病的ハンチンチンタンパク質であり、これは、ヒトにおいて、ＮＣＢＩ  ＧｅｎＢａｎｋまたはＵｎｉＰｒｏｔ（Ｇｅｎｅ  ＩＤ：３０６４；Ｐｒｏｔｅｉｎ  ＩＤ：Ｐ４２８５８）を使用して識別することができる。本明細書中で使用される「病的ハンチンチンタンパク質」は、ハンチンチン遺伝子内の不安定な伸長トリヌクレオチドリピートに起因して生成される異常な構造コンフォメーションを有するハンチンチンタンパク質を指し、これは、タンパク質生成物内のポリグルタミンリピートとして翻訳される（Ｉｓａｓ  ｅｔ  ａｌ．，２０１７に記載）。病的ハンチンチンタンパク質は、凝集する傾向がある自己増殖性コンフォメーションにミスフォールドする。病的ハンチンチンタンパク質は、ハンチンチンタンパク質凝集体／ハンチンチンタンパク質凝集の存在によって直接検出することができる。当該タンパク質の凝集を検出するいくつかの方法が周知であり、ｉｍｍｕｎｏＥＭが挙げられる。
【００８６】
ハンチントン病は、臨床的に明確に定義されており、その詳細は、当業者に周知である（例えば、Ｐａｇａｎ  ｅｔ  ａｌ．，２０１７を参照）。
【００８７】
更なる例として、タンパク質ミスフォールディング神経変性障害が運動ニューロン疾患である場合、病的プリオン様タンパク質は、病的スーパーオキシドジスムターゼ（ＳＯＤ１）、ｃ９ｏｒｆ７２、およびバロシンからなる群から選択され、これらは、ヒトにおいて、以下のＮＣＢＩ  ＧｅｎＢａｎｋまたはＵｎｉＰｒｏｔ  ＩＤ番号を使用して識別することができる：ＳＯＤ１（Ｇｅｎｅ  ＩＤ：６６４７、Ｐｒｏｔｅｉｎ  ＩＤ：Ｐ００４４１）；ｃ９ｏｒｆ７２（Ｇｅｎｅ  ＩＤ：２０３２２８、Ｐｒｏｔｅｉｎ  ＩＤ：Ｑ９６ＬＴ７）；バロシン（Ｇｅｎｅ  ＩＤ：７４１５、Ｐｒｏｔｅｉｎ  ＩＤ：Ｐ５５０７２）。本明細書中で使用される「病的スーパーオキシドジスムターゼ、ｃ９ｏｒｆ７２、およびバロシン」は、以下の参考文献において記載されている異常な構造コンフォメーションを有するスーパーオキシドジスムターゼ、ｃ９ｏｒｆ７２、およびバロシンを指す：ＳＯＤ１：Ｓａｎｇｗａｎ  ｅｔ  ａｌ．２０１７；ｃ９ｏｒｆ７２：Ｇｕｏ  ｅｔ  ａｌ．２０１８；およびバロシン：Ｂａｓｓｏ  ｅｔ  ａｌ．２０１３。病的スーパーオキシドジスムターゼ、ｃ９ｏｒｆ７２、およびバロシンは、凝集する傾向がある自己増殖性コンフォメーションにミスフォールドする。病的スーパーオキシドジスムターゼ、ｃ９ｏｒｆ７２、およびバロシンタンパク質は、スーパーオキシドジスムターゼ、ｃ９ｏｒｆ７２、およびバロシンタンパク質の凝集体／スーパーオキシドジスムターゼ、ｃ９ｏｒｆ７２、およびバロシンタンパク質の凝集の存在によって直接検出することができる。運動ニューロン疾患の他の稀な形態が、当業者に知られている他のプリオン様タンパク質の凝集によって引き起こされる。当該タンパク質の凝集を検出するいくつかの方法が周知であり、ｉｍｍｕｎｏＥＭが挙げられる。
【００８８】
運動ニューロン疾患は、臨床的に明確に定義されており、その詳細は、当業者に周知である（例えば、Ｔｒａｙｎｏｒ  ｅｔ  ａｌ．，２０００を参照）。
【００８９】
更なる例として、タンパク質ミスフォールディング神経変性障害がデンタトパリドルブロルイジアン萎縮症である場合、病的プリオン様タンパク質は、病的アトロフィンタンパク質であり、これは、ヒトにおいて、ＮＣＢＩ  ＧｅｎＢａｎｋまたはＵｎｉＰｒｏｔ（Ｇｅｎｅ  ＩＤ：１８２２；Ｐｒｏｔｅｉｎ  ＩＤ：Ｐ５４２５９）を使用して識別することができる。本明細書中で使用される「病的アトロフィンタンパク質」は、Ｈｉｎｚ  ｅｔ  ａｌ．２０１２に記載されている異常な構造コンフォメーションを有するアトロフィンタンパク質を指す。病的アトロフィンタンパク質は、凝集する傾向がある自己増殖性コンフォメーションにミスフォールドする。病的アトロフィンタンパク質は、アトロフィンタンパク質凝集体／アトロフィンタンパク質凝集の存在によって直接検出することができる。当該タンパク質の凝集を検出するいくつかの方法が周知であり、ｉｍｍｕｎｏＥＭが挙げられる。
【００９０】
デンタトパリドルブロルイジアン萎縮症は、臨床的に明確に定義されており、その詳細は、当業者に周知である（例えば、Ｗａｒｄｌｅ  ｅｔ  ａｌ．，２００９を参照）。
【００９１】
更なる例として、タンパク質ミスフォールディング神経変性障害が脊髄小脳失調症である場合、病的プリオン様タンパク質は、アタキシン−１、アタキシン−２、およびアタキシン−３等の病的アタキシンであり、これらは、ヒトにおいて、ＮＣＢＩ  ＧｅｎＢａｎｋまたはＵｎｉｐｒｏｔ（アタキシン１について（Ｇｅｎｅ  ＩＤ：６３１０、Ｐｒｏｔｅｉｎ  ＩＤ：Ｐ５４２５３）；アタキシン２について（Ｇｅｎｅ  ＩＤ：６３１１、Ｐｒｏｔｅｉｎ  ＩＤ：Ｑ９９７００）；アタキシン３について（Ｇｅｎｅ  ＩＤ：４２８７、Ｐｒｏｔｅｉｎ  ＩＤ：Ｐ５４２５２））を使用して識別することができる。本明細書中で使用される「病的アタキシン」は、Ｒｕｇｇｅｒｉ  ｅｔ  ａｌ．２０１５に記載されている異常な構造コンフォメーションを有するアタキシンタンパク質を指す。病的アタキシンタンパク質は、凝集する傾向がある自己増殖性コンフォメーションにミスフォールドする。病的アタキシンタンパク質は、アタキシンタンパク質凝集体／アタキシンタンパク質凝集の存在によって直接検出することができる。当該タンパク質の凝集を検出するいくつかの方法が周知であり、ｉｍｍｕｎｏＥＭが挙げられる。
【００９２】
脊髄小脳失調症は、臨床的に明確に定義されており、その詳細は、当業者に周知である（例えば、ｖａｎ  ｄｅ  Ｗａｒｒｅｎｂｕｒｇ  ｅｔ  ａｌ．，２０１４を参照）。
【００９３】
本明細書で使用される用語「対象」は、哺乳動物を指す。したがって、対象は、例えば、イヌ、ネコ、ウマ、ウシ、ブタ、モルモット等を指す。対象は、ヒトであってもよい。対象がヒトである場合、対象は、本明細書中で患者と呼ぶ場合がある。用語「対象」、「個体」、および「患者」は、本明細書中で互換的に使用される。
【００９４】
対象は、症候性であってもよいし（例えば、対象は、タンパク質ミスフォールディング神経変性障害と関連する症状を示す）、対象は、無症候性であってもよい（例えば、対象は、タンパク質ミスフォールディング神経変性障害と関連する症状を示さないが、当該障害と関連する軽度の生化学的変化を示す場合がある）。
【００９５】
対象は、タンパク質ミスフォールディング神経変性障害の症状があると診断される場合もあるし、これを発症するリスクがある場合もあるし、この症状を示す場合もある。
【００９６】
対象は、本明細書中に記載されるタンパク質ミスフォールディング神経変性障害を患っている場合もあるし、患っている疑いがある場合もある（例えば、症状もしくは病歴を示す、またはこれらが示唆的である）。
【００９７】
したがって、一部の例において、対象は、タンパク質ミスフォールディング神経変性障害を患っている。特定の例において、対象は、初期段階のタンパク質ミスフォールディング神経変性障害を患っている。疾患の初期段階の例として、対象がタンパク質ミスフォールディング神経変性障害の前駆段階にある場合があり、ここでは疾患の初期症状はあるが、疾患の診断に十分な症状はまだ現れていない。
【００９８】
上述のように、これらの障害はそれぞれ、臨床的に明確に定義されているので、臨床診断のための、または各障害と関連するリスク因子および症状（初期症状を含む）を識別するための少なくとも１つの手段が、当業者に周知である。
【００９９】
本明細書中に記載される方法は、対象由来の細胞外小胞サンプルを提供、取得、アッセイ、かつ／または分析する工程を含む。
【０１００】
細胞外小胞（ＥＶ）サンプルは、対象の適切なあらゆる生体サンプルから得ることができる。本明細書中に記載される方法は、（例えば、生検、血液サンプルの取出し、尿または唾液のサンプリング等によって）対象から生体サンプルを得る工程を含んでよい。対象から生体サンプル（例えば、血液サンプル）を得る方法は周知であり、例えば、瀉血に使用される確立された技術が挙げられる。
【０１０１】
一般的に、記載される方法は、対象から既に得られているサンプルを使用して実行されるインビトロ方法である（すなわち、サンプルは、当該方法のために提供され、対象からサンプルを得るために実行される工程は、当該方法の一部として含まれない）。
【０１０２】
本明細書中で使用される「生体サンプル」または「サンプル」は、対象から得られる、または対象に由来するサンプルを指す。本明細書中に記載される目的のために、サンプルは、組織サンプル（例えば、脳生検等の生検）であってもよいし、液体サンプルであってもよい。適切なサンプルとして、脳脊髄液（ＣＳＦ）、血液（全血、またはその成分、例えば、血漿、血清、血小板、バフィーコート、もしくはそれらの組合せ）、脳組織ホモジェネート、尿、唾液、または上記のあらゆる組合せが挙げられる。なお、これらのサンプルはそれぞれ、タンパク質ミスフォールディング神経変性障害を検出するのに有用な、または潜在的に有用なサンプルとして示されてきた（例えば；Ｌｏｏｖ  ｅｔ  ａｌ．，２０１６；Ｍｏｌｌｅｎｈａｕｅｒ  ｅｔ  ａｌ．，２０１１；Ｄａｎｚｅｒ  ｅｔ  ａｌ．，２０１２；およびＬｕｋ  ｅｔ  ａｌ．，２０１６参照）。対象からこれらのサンプルをそれぞれ得る（または、例えば、血漿、血小板、血清、バフィーコート等の血液成分を全血から単離する）方法は、当該技術分野において周知であり、本明細書中で言及される適切な生体サンプルを得るのにルーチンで使用することができる。
【０１０３】
本明細書中に記載される方法は、対象の生体サンプルから得られる細胞外小胞（ＥＶ）サンプルの使用に関する。当該方法は、生体サンプルから細胞外小胞サンプルを得る工程を含んでよい。これ以外にも、当該方法は、当該方法に用意されるＥＶサンプルに実行されてもよく、当該方法の工程それ自体は、生体サンプルから細胞外小胞を得る（例えば、精製、単離、または富化する）工程を含まない。
【０１０４】
ＥＶサンプルは、当該技術分野において知られているＥＶを得る適切な方法のいずれか１つまたは複数によって（方法の一部として、または方法を開始する前に）得られてもよい。ＥＶサンプルを得るのに適した方法の例が、Ｌｏｂｂ  ｅｔ  ａｌ．，２０１５；およびＢｏｉｎｇ  ｅｔ  ａｌ．，２０１４において要約されている。そこで記載されている適切な方法として、分画遠心分離、密度勾配超遠心分離、およびサイズ排除クロマトグラフィが挙げられる。
【０１０５】
したがって、一例において、本明細書中に記載される方法は、以下の工程を含む：
ｉ）対象由来の生体サンプルを用意する工程；および
ｉｉ）サイズ排除クロマトグラフィを使用して、生体サンプルから細胞外小胞サンプルを得る工程。次に、細胞外小胞サンプルを、本明細書中の他の場所に記載されているように、病的プリオン様タンパク質の存在についてアッセイする。
【０１０６】
本発明者らは、有利には、サイズ排除クロマトグラフィ（ＳＥＣ）を使用して、脳組織ホモジェネート、ＣＳＦ、血漿、または血小板サンプル等の適切な生体サンプルから、ＥＶサンプルを得ることができることを確認した。サイズ排除クロマトグラフィは、ＥＶを単離する最も広く使用されている方法である分画遠心分離および密度勾配超遠心分離に勝る、いくつかの利点がある。Ｂｏｉｎｇ  ｅｔ  ａｌ．，２０１４において考察されているように、ＳＥＣでは、タンパク質複合体が形成されたり小胞が凝集するリスクがない。さらに、血漿の高粘度は、分画遠心分離によって単離される小胞の回収に影響を与えるが、ＳＥＣによる小胞の回収には影響を与えない。密度勾配超遠心分離と比較して、ＳＥＣは、生理学的浸透圧および生理学的粘度を有するバッファーと適合し、小胞の生物学的特性は、ＳＥＣによる分離後も影響を受けていないように思われる。さらに、ＳＥＣは、コレステロール等の、密度が重複する夾雑物の分離を可能にする（これは、密度勾配超遠心分離を使用して可能ではない）。
【０１０７】
ＳＥＣは、サイズに基づいて材料を分離する。例えば、細孔の直径が約７５ｎｍであり（Ｂｏｉｎｇ  ｅｔ  ａｌ．，２０１４にレビュー）、ビーズを通るパスが曲がりくねっている、カラム内のセファロースビーズを使用してもよい。パスの長さが長くなることに起因して、ビーズに入ることができる粒子は、遅くなる。理論的には、細孔径よりも大きい（例えば、この例では７５ｎｍよりも大きい）粒子は全て、ビーズに入ることができず、空隙容量流体と共に移動するだけである。この細孔サイズのセファロース（例えば、Ｓｅｐｈａｒｏｓｅ  ＣＬ−２Ｂ）を使用して、当該方法は、（ＥＭによって確認して）直径が７０ｎｍ以上のＥＶを、サンプル中のより小さな夾雑物から分離するのに使用することができることが確認された。細孔がより小さなビーズを使用して、より小さなサイズの小胞を単離してもよい（ただし、夾雑の増大が付随する可能性がある）。したがって、ビーズの細孔サイズ（ならびにカラムの高さ、カラムの直径、およびサンプルの容量）は、必要とされる具体的な目的に合わせて調整／最適化されてよい。
【０１０８】
サイズ排除クロマトグラフィの適切なあらゆる方法論を使用して、本明細書中に記載されるＥＶサンプルを得ることができる。適切な方法論の詳細を、非限定的な例として以下に記載する。
【０１０９】
注目する生体サンプル（例えば、ＣＳＦ、血漿、血小板）は、フレッシュであっても、冷蔵されていても、凍結されていてもよい。凍結されている場合、生体サンプルは、サイズ排除クロマトグラフィの前に、例えば氷上で、解凍されてもよい。
【０１１０】
生体サンプルが組織サンプル（フレッシュ、冷蔵、凍結、または解凍）であれば、サイズ排除クロマトグラフィの前にホモジェナイズされてもよい。ホモジェナイゼーションに適したプロトコルの詳細が、以下の実施例のセクションに記載されている。
【０１１１】
生体サンプルは、サイズ排除クロマトグラフィの前に、（例えば、サンプル中の物質が溶液中に入る、または溶液内に留まるように促すために）ボルテックスされてもよい。
【０１１２】
生体サンプルは、遠心分離によってプレクリアリングされてよく、例えば、ＣＳＦについて、プレクリアリングは、１５００ｇ、３０００ｇ、および１０，０００ｇの３つの連続工程を含み、各工程の長さは、典型的に１０分であり；血漿について、プレクリアリングは、１５００ｇ、３０００ｇ、および３０００ｇの３つの連続工程を含み、各工程の長さは、典型的に１０分である。各工程後、上清（液体部分）が保持されて、次の工程に使用される。
【０１１３】
典型的な市販のＳＥＣカラムは、最大または最適な液体ローディング容量を有する。プレクリアリングされた生体サンプル（すなわち、プレクリアリング工程の最後に存在する上清）は、容量が、ＳＥＣカラムの最大または最適ローディング容量よりも大きければ、サンプルは、最適または最大ローディング容量が得られるまで、適切なあらゆる手段（例えば、ＶｉｖａＳｐｉｎ遠心濃縮器（Ｓａｒｔｏｒｉｕｓ））を使用して濃縮されてもよい。例えば、発明者らは、約５００μｌのサンプルをＳＥＣカラム上にロードした。したがって、５００μｌを超える、プレクリアリングされたサンプルが入手可能であった場合には、本発明者らは、ＳＥＣカラム上にロードする前に、ＶｉｖａＳｐｉｎ遠心濃縮器（Ｓａｒｔｏｒｉｕｓ）を使用して、サンプルを約５００μｌに濃縮した。
【０１１４】
次に、プレクリアリングされた（かつ、場合によっては濃縮された）サンプルは、メーカーの説明書に従って、適切なＳＥＣカラム上にロードされてもよい。適切なあらゆるＳＥＣカラムが使用されてよい。例として、本明細書中でＣＳＦサンプルおよび血漿サンプルに使用されるｑＥＶ（Ｉｚｏｎ  Ｓｃｉｅｎｃｅ）標準５００μｌ  ＳＥＣカラムについて、本発明者らは、各５００μｌのプレクリアリングされたサンプルを別々のカラム上にロードして、ＰＢＳを使用して溶出した。メーカーの説明書に従えば、最初の６ｘ５００μｌ画分（合計３ｍｌの画分として収集）は空隙容量であり、ＥＶは、画分７、８、および９内に含有されている。この例では、３つのＥＶ画分は全て、１本のチューブに収集されてもよい。
【０１１５】
ＥＶサンプルは、場合によっては、ＳＥＣの後に濃縮されてもよい。ＥＶサンプルを濃縮するのに適したあらゆる方法論が使用されてよい。非限定的な例として、本発明者らは、ＶｉｖａＳｐｉｎ２（Ｓａｒｔｏｒｉｕｓ）を使用して、（約１５００μｌの）ＥＶ画分を５００μｌに濃縮した。
【０１１６】
ＥＶサンプルは、直ぐにアッセイ（または分析）されてもよいし、適切な方法で保存されてもよく、例えば、−８０℃にて凍結保存されてもよい。
【０１１７】
本明細書中の他の場所に記載されているように、ＥＶサンプルは、生体サンプルから得られる。これは、ＥＶが富化された（すなわち、ＥＶの濃度が、生成元の生体サンプル（例えば、ＣＳＦ、血液、尿、血漿）中のＥＶの濃度と比較して、より高い）プロセシング済みサンプルである。この文脈において、「富化された」または「富化」は、生体サンプル内に含有されるＥＶの割合が、サンプルの他の成分と比較して増大しているサンプルまたはプロセスを指す。富化は、サンプルのプロセシング前後のＥＶの数を比較することによって測定されてもよく、サンプルの他の成分と比較したＥＶの相対数のあらゆる増大が、富化とみなされる。富化および／または純度は、ＥＶサンプルが生成された生体サンプル（例えば、プロセシング未処理のサンプル、またはプレクリアリングされたサンプル）と比較して、濃度換算で測定されてもよく、ＥＶの濃度は、生体サンプル（例えば、プロセシング未処理のサンプル、またはプレクリアリングされたサンプル）中のＥＶの濃度よりも、少なくとも１０％、１５％、２０％、２５％、３０％、３５％、４０％、４５％、５０％、５５％、６０％、６５％、７０％、７５％、８０％、８５％、９０％、または９５％以上高い。富化および／または純度は、ＥＶ分子数換算で測定されてもよく、サンプルは、ＥＶサンプルが生成された生体サンプル（例えば、プロセシング未処理のサンプル、またはプレクリアリングされたサンプル）と比較して、ＥＶ中に、約、または少なくとも約２ｘ、３ｘ、４ｘ、５ｘ、１０ｘ、１５ｘ、２０ｘ、２５ｘ、３０ｘ、３５ｘ、４０ｘ、４５ｘ、５０ｘ、５５ｘ、６０ｘ、６５ｘ、７０ｘ、７５ｘ、８０ｘ、８５ｘ、９０ｘ、９５ｘ、１００ｘ、１１０ｘ、１２０ｘ、１３０ｘ、１４０ｘ、１５０ｘ、１６０ｘ、１７０ｘ、１８０ｘ、１９０ｘ、２００ｘ、２１０ｘ、２２０ｘ、２３０ｘ、２４０ｘ、２５０ｘ、２６０ｘ、２７０ｘ、２８０ｘ、２９０ｘ、３００ｘ、３２５ｘ、３５０ｘ、３７５ｘ、４００ｘ、４２５ｘ、４５０ｘ、４７５ｘ、５００ｘ、５２５ｘ、５５０ｘ、５７５ｘ、６００ｘ、６２５ｘ、６５０ｘ、６７５ｘ、７００ｘ、７２５ｘ、７５０ｘ、７７５ｘ、８００ｘ、８２５ｘ、８５０ｘ、８７５ｘ、９００ｘ、９２５ｘ、９５０ｘ、９７５ｘ、１０００ｘ、１１００ｘ、１２００ｘ、１３００ｘ、１４００ｘ、１５００ｘ、１６００ｘ、１７００ｘ、１８００ｘ、１９００ｘ、２０００ｘ（倍と同じ）、そしてそれらの中で導き出せる全て範囲で、富化される。
【０１１８】
富化のレベルは、ＥＭおよび調整可能な抵抗パルスセンシング（ＴＲＰＳ）を使用して求めることができる。
【０１１９】
ＥＶサンプル（言い換えると、ＥＶが富化されたサンプル）は、１００％純粋な細胞外小胞である必要はない。
【０１２０】
好ましくは、ＥＶサンプルは、最小量の夾雑細胞内容物または夾雑細胞外内容物（例えば、ＥＶと結合していない細胞または細胞外のタンパク質、脂質、炭水化物、リポタンパク質）を有する。言い換えると、ＥＶサンプルは、主にＥＶで構成され得る。この文脈では、「最小量」は、１０％（濃度）未満の夾雑物、５％（濃度）未満、２％未満、１％未満、０．５％未満、０．２５％未満、０．１％未満等の夾雑物を含んでもよい。夾雑レベルは、０％である必要はない。夾雑レベルは、ＥＭを使用して求めることができる。
【０１２１】
ＥＶサンプルは、実質的に純粋なＥＶを含有する単離されたサンプルであってもよい。単離されたサンプルは、あらゆるＥＶ含有生体サンプルから単離されてもよい。実質的に純粋なＥＶを含有する単離されたサンプルを指す場合の用語「実質的に純粋な」または「実質的な純粋」は、集団内のＥＶのパーセンテージが、（例えば、対象の組織または血流内で）ＥＶサンプルが生成された生体サンプル（例えば、プロセシング未処理のサンプル、またはプレクリアリングされたサンプル）内で見出されるものよりも大幅に高いことを意味する。典型的には、実質的に純粋なＥＶを含有する単離されたサンプル中のＥＶのパーセンテージは、総サンプルの少なくとも約５０％、好ましくは少なくとも約６０％、７０％、７５％、より好ましくは少なくとも約８０％、８５％、９０％、９５％、９６％、９７％、９８％、または９９％である。
【０１２２】
細胞外小胞は、当該技術分野において明確に特徴付けられており、そして明確に定義された意味を有する（Ａｎｄａｌｏｕｓｓｉ  ｅｔ  ａｌ．，２０１３にレビュー）。細胞外小胞は、いくつかの体液から単離されてきた。細胞外小胞は、幹細胞の維持、免疫監視、および血液凝固が挙げられる生理学的プロセスの調節において、重要な役割を果たすことが示されてきた。また、細胞外小胞は、いくつかの疾患の基礎となる病理において、重要な役割を果たすことが示されてきた。
【０１２３】
シナプス小胞とは対照的に、細胞外小胞は、ニューロンから無傷で放出されて、エンドソームに由来する多胞体（ＭＶＢ）から落とされ（ｓｈｅｄ）得、または原形質膜から直接芽を出し（ｂｕｄ  ｏｕｔ）得る。細胞外空間に放出されると、内細胞膜から形成されたか外細胞膜から形成されたかに応じて、エキソソームまたはエクトソーム（または微小胞）と呼ばれ、そしてエンドサイトーシスまたは融合を介して他の細胞によって取り込まれる。
【０１２４】
細胞外小胞は、その細胞起源、生物学的機能に従って、またはその生合成に基づいて分類される（Ａｎｄａｌｏｕｓｓｉ  ｅｔ  ａｌ．，２０１３にレビュー）。生合成によって決定される細胞外小胞の３つの主要なクラスは、エキソソーム、微小胞、およびアポトーシス小体であり、最初の２つは、生体サンプル内（故に、それに由来するＥＶサンプル内）で最も支配的である。ＥＶマーカーが、当該技術分野において周知である。エキソソームマーカーの例として、テトラスパニン（ＴＳＰＡＮ２９およびＴＳＰＡＮ３０等）、ＥＳＣＲＴコンポーネント、ＰＤＣＤ６ＩＰ、ＴＳＧ１０１、フロチリン、およびＭＦＧＥ８が挙げられる。微小胞マーカーの例として、インテグリン、セレクチン、およびＣＤ４０リガンドが挙げられる。
【０１２５】
最近の進歩にもかかわらず、用語「エキソソーム」および「微小胞」は、公開されている多くの研究中で、互換的に使用されてきた。本明細書では、用語「細胞外小胞」が、双方の小胞タイプを指すのに使用されている。
【０１２６】
本明細書中に記載される方法は、病的プリオン様タンパク質の存在について、対象由来の細胞外小胞サンプルをアッセイする工程を含む。
【０１２７】
病的プリオン様タンパク質を検出するのに使用されるアッセイは、そのような検出に適した、当業者に知られているあらゆる種類のものであってよい。適切には、病的プリオン様タンパク質を検出するのに使用されるアッセイは、（例えば、プリオン様タンパク質の凝集速度を経時的に測定することによって、または、サンプル中の凝集したプリオン様タンパク質の存在を判定することによって、もしくはその量を測定することによって）プリオン様タンパク質の凝集を検出することができる。当該アッセイは、（例えば、プリオン様タンパク質の凝集速度の経時的測定によって、または、サンプル中の凝集したプリオン様タンパク質の存在の判定、もしくはその量の測定によって）検出された病的プリオン様タンパク質の、参照レベルとの比較を可能にし得る。参照レベルは、対照サンプルから得られてもよいし、所定の参照レベルであってもよい。対照サンプルまたは所定の参照レベルは、（当該方法が機能していることを確認するための）陽性対照または所定の陽性参照レベルであってもよいし、（陰性対象または所定の陰性参照レベルを超える／上回る病的プリオン様タンパク質のあらゆる陽性シグナルまたは検出が、対象のＥＶサンプル中の病的プリオン様タンパク質の存在を示すような）陰性対象または所定の陰性参照レベルであってもよい。
ｉｍｍｕｎｏＥＭ、ＲＴ‐ＱｕＩＣ、およびＰＭＣＡが挙げられるがこれらに限定されない、適切な種々のアッセイタイプが当業者に知られている。これらのアッセイのそれぞれについての詳細な方法論が、Ｆａｉｒｆｏｕｌ  ｅｔ  ａｌ．，２０１６およびＡｔａｒａｓｈｉ  ｅｔ  ａｌ．，２０１１（ＲＴ−ＱｕＩＣについて）；ならびにＨｅｒｖａ  ｅｔ  ａｌ．，２０１４、Ｇｏｎｚａｌｅｚ−Ｍｏｎｔａｌｂａｎ  ｅｔ  ａｌ．，２０１１、およびＳａｌｖａｄｏｒｅ  ｅｔ  ａｌ．，２０１４（ＰＭＣＡについて）からわかるように、当該技術分野において十分に確立されている。
特定の例において、Ｆａｉｒｆｏｕｌ  ｅｔ  ａｌ．，２０１６のＲＴ−ＱｕＩＣ法を使用して、本明細書中に記載されるＥＶサンプル中の病的プリオン様タンパク質の存在について、特にＥＶサンプル（ＣＳＦ、脳組織ホモジェネート、血漿、血清、血小板、またはバフィーコートから選択される生体サンプルから得られるＥＶサンプル等）中の病的アルファ−シヌクレインの存在についてアッセイする。
【０１２８】
上記のアッセイ（ならびに、特に先で参照した論文に記載されているＲＴ−ＱｕＩＣ法およびＰＭＣＡ法）は、対象のＥＶサンプル中のアルファ−シヌクレイン以外の病的プリオン様タンパク質の存在を判定して、対応するタンパク質ミスフォールディング神経変性障害（すなわち、測定される病的プリオン様タンパク質の存在と対応するタンパク質ミスフォールディング神経変性障害）を発症する等のリスクを識別、監視、判定するするように適合されてもよい。異なる病的プリオン様タンパク質（およびその対応するタンパク質ミスフォールディング神経変性障害）の例が、先で詳細に説明されている。
【０１２９】
したがって、タンパク質ミスフォールディング神経変性障害を患っている疑いがある、またはタンパク質ミスフォールディング神経変性障害の発症リスクが高い対象において、病的プリオン様タンパク質の存在を判定するインビトロ方法も提供され、当該方法は、以下の工程を含む：
（ａ）対象から細胞外小胞サンプルを用意する工程；および
（ｂ）細胞外小胞サンプル中の病的プリオン様タンパク質の存在を判定する工程。
【０１３０】
病的プリオン様タンパク質の存在は、先で詳細に説明されるアッセイのいずれかを使用して判定することができる。
【０１３１】
細胞外小胞サンプルは、先で詳細に説明される方法のいずれかを使用して用意または取得することができる。
【０１３２】
適切な対象、専門用語、および特徴の順列または組合せが、先で詳細に説明されてきた。
【０１３３】
疾患がある対象について処置を選択する方法も提供され、当該方法は、対象由来の細胞外小胞サンプル中の病的プリオン様タンパク質の存在を判定する工程を含み、病的プリオン様タンパク質の存在は、対象がタンパク質ミスフォールディング神経変性障害用の処置から利益を得ることとなることを示す。
【０１３４】
当該方法は、インビトロ方法であってもよい。
【０１３５】
病的プリオン様タンパク質の存在は、先で詳細に説明されるアッセイのいずれかを使用して判定することができる。
【０１３６】
細胞外小胞サンプルは、先で詳細に説明される方法のいずれかを使用して用意または取得することができる。
【０１３７】
適切な対象、専門用語、および特徴の順列または組合せが、先で詳細に説明されてきた。
【０１３８】
当該方法はさらに、病的プリオン様タンパク質が、対象由来のＥＶサンプル中に存在するならば、タンパク質ミスフォールディング神経変性障害用の処置を対象に施す工程を含んでもよい。
【０１３９】
処置のタイプは、存在する特定の病的プリオン様タンパク質（故に、対象の対応する、すなわち、対象が患っている、患っている疑いがある、発症するリスクがある、または発症するリスクがある疑いがあるタンパク質ミスフォールディング神経変性障害）に応じて変わることとなる。
【０１４０】
例えば、病的アルファ−シヌクレインタンパク質が存在すると判定され、そして対象が、アルファシヌクレイノパチー、例えば、パーキンソン病、レビー小体型認知症、または多系統萎縮症を患っている、患っている疑いがある、患うリスクがある、または患うリスクがある疑いがあれば、当該対象は、例えばコリンエステラーゼ阻害剤（ＤＬＢについて）；レボドパ（ＰＤについて）による処置から利益を得ることができる。したがって、当該方法は、コリンエステラーゼ阻害剤（ＤＬＢについて）；レボドパ（ＰＤについて）を対象に投与する工程を含んでよい。
【０１４１】
更なる例として、病的プリオン様タンパク質が存在すると判定され、そして対象が、クロイツフェルト・ヤコブ病を患っている、患っている疑いがある、患うリスクがある、または患うリスクがある疑いがあれば、当該対象は、示される症状を軽減する化合物による処置／示される症状を軽減する処置から利益を得ることができる。したがって、当該方法は、適切な処置化合物を対象に投与する工程を含んでよい。適切な化合物が、当業者に周知であり、そして対象の具体的な症状によって決まる。
【０１４２】
更なる例として、病的アミロイドベータタンパク質が存在すると判定され、そして対象が、アルツハイマー病を患っている、患っている疑いがある、患うリスクがある、または患うリスクがある疑いがあれば、当該対象は、コリンエステラーゼ阻害剤による処置から利益を得ることができる。したがって、当該方法は、コリンエステラーゼ阻害剤を対象に投与する工程を含んでよい。
【０１４３】
更なる例として、病的タウタンパク質が存在すると判定され、そして対象が、タウオパチー（例えば、アルツハイマー病、前頭側頭葉変性症、進行性核上性麻痺、または皮質基底核変性症）を患っている、患っている疑いがある、患うリスクがある、または患うリスクがある疑いがあれば、対象は、示される症状を緩和する化合物／レジメン（例えば、抗鬱薬または選択的セロトニン再取込み阻害剤（行動症状を処置する）、コリンエステラーゼ阻害剤（精神能力を向上させる）、またはレボドパ（動きに関連する疾患症状について））による処置から利益を得ることができる。したがって、当該方法は、これらの適切な処置のいずれか１つまたは複数を対象に施す工程を含んでよい。他の適切な処置が、当業者に周知であり、そして対象の具体的な症状によって決まる。
【０１４４】
更なる例として、病的ハンチンチンタンパク質が存在すると判定され、そして対象は、ハンチントン病を患っている、患っている疑いがある、患うリスクがある、または患うリスクがある疑いがあれば、対象は、示される症状を緩和する化合物／レジメン（例えば、適切な処置として、運動障害を軽減する薬物（例えばテトラベナジン）；精神症状を緩和する抗鬱薬、抗精神病薬、および気分安定薬）による処置から利益を得ることができる。したがって、当該方法は、上述の適切な処置のいずれか１つまたは複数を対象に施す工程を含んでよい。他の適切な処置が、当業者に周知であり、そして対象の具体的な症状によって決まる。
【０１４５】
更なる例として、病的スーパーオキシドジスムターゼ、ｃ９ｏｒｆ７２、またはバロシンタンパク質、および運動ニューロン疾患と関連する他のプリオン様タンパク質が存在すると判定され、そして対象は、運動ニューロン疾患を患っている、患っている疑いがある、患うリスクがある、または患うリスクがある疑いがあれば、対象は、示される症状を緩和する化合物／レジメン（例えば、リルゾールおよびラディカバ（ＦＤＡ承認薬）；または症状を緩和する他の薬物、例えば、抗鬱薬、非ステロイド性抗炎症薬）による処置から利益を得ることができる。したがって、当該方法は、上述の適切な処置の１つまたは複数を対象に施す工程を含んでよい。他の適切な処置が、当業者に周知であり、そして対象の具体的な症状によって決まる。
【０１４６】
更なる例として、病的アトロフィンタンパク質が存在すると判定され、そして対象が、デンタトパリドルブロルイジアン萎縮症を患っている、患っている疑いがある、患うリスクがある、または患うリスクがある疑いがあれば、対象は、示される症状を緩和する化合物／レジメン（例えば、抗てんかん薬、向精神薬、またはリルゾール）による処置から利益を得ることができる。したがって、当該方法は、上述の適切な処置の１つまたは複数を対象に施す工程を含んでよい。他の適切な処置が、当業者に周知であり、そして対象の具体的な症状によって決まる。
【０１４７】
更なる例として、病的アタキシンタンパク質（アタキシン−１、アタキシン−２、アタキシン−３等）が存在すると判定され、そして対象が、脊髄小脳失調症を患っている、患っている疑いがある、患うリスクがある、または患うリスクがある疑いがあれば、対象は、示される症状を緩和する化合物／レジメン（例えば、理学療法、またはリルゾール）による処置から利益を得ることができる。したがって、当該方法は、上述の適切な処置の１つまたは複数を対象に施す工程を含んでよい。他の適切な処置が、当業者に周知であり、そして対象の具体的な症状によって決まる。
【０１４８】
また、対象におけるタンパク質ミスフォールディング神経変性障害の識別もしくは監視のための、または対象におけるタンパク質ミスフォールディング神経変性障害の発症リスクを判定するためのインビトロ細胞外小胞サンプルの使用が提供される。
【０１４９】
適切な対象、専門用語、および特徴の順列または組合せが、先で詳細に説明されてきた。
【０１５０】
また、タンパク質ミスフォールディング神経変性障害用の処置レジメンの治療効果を判定するインビトロ方法が提供され、当該方法は、以下の工程を含む：
ａ）病的プリオン様タンパク質の存在について、対象由来の細胞外小胞サンプルをアッセイする工程；
ｂ）処置後に対象から得られる細胞外小胞サンプルを使用して、工程ａ）を、ある時間間隔で（ｆｏｒ  ａ  ｔｉｍｅ  ｉｎｔｅｒｖａｌ）繰り返す工程；および
ｃ）工程ａ）において判定された病的プリオン様タンパク質のレベルを、工程ｂ）において判定されたレベルと比較して、処置後に病的プリオン様タンパク質のレベルが低下していれば、処置レジメンが治療効果を有すると確認する工程。
【０１５１】
適切な対象、処置、専門用語、および特徴の順列または組合せが、先で詳細に説明されてきた。
【０１５２】
また、タンパク質ミスフォールディング神経変性障害用の所定の処置レジメンの、対象の遵守または厳守（ａｄｈｅｒｅｎｃｅ）を判定するインビトロ方法が提供され、当該方法は、以下の工程を含む：
ａ）病的プリオン様タンパク質の存在について、対象由来の細胞外小胞サンプルをアッセイする工程；
ｂ）処置レジメンの所定の開始後に対象から得られる細胞外小胞サンプルを使用して、工程ａ）を繰り返す工程；および
ｃ）工程ａ）において判定された病的プリオン様タンパク質のレベルを、工程ｂ）において判定されたレベルと比較して、処置後に病的プリオン様タンパク質のレベルが低下していれば、対象は所定の治療レジメンを順守または厳守してきたと確認する工程。
【０１５３】
適切な対象、処置、専門用語、および特徴の順列または組合せが、先で詳細に説明されてきた。
【０１５４】
本発明者らはまた、ＰＤ患者またはＤＬＢ患者のＣＳＦサンプルから得られるＥＶが、対照と比較して、大きな脂質変化を示すことを確認した。当該データは、患者のＥＶ中の大きな脂質変化が、病状に重要であることを示唆している。特定の理論に拘束されないが、当該脂質変化は、本明細書中に記載される病的アルファ−シヌクレインを検出する方法の高い感度および特異性の一部を構成すると思われる。というのも、アルファ−シヌクレイン凝集アッセイは、双方の改変（セラミドおよびシヌクレインフォールディング）に応答し得るからである。病状におけるセラミドの変化は、非常に重要であり、患者の脳組織において観察される変化と類似する（ＰＤ患者およびＤＬＢ患者の双方について；データ未発表）。有利には、脂質組成の変化は、特にアルファシヌクレイノパチーに関して、より具体的にはＰＤおよび／またはＤＬＢに関して、疾患（または疾患のリスク）を検出、監視、かつ識別するためのバイオマーカーとして使用することができる。
【０１５５】
したがって、対象においてアルファシヌクレイノパチーを識別または監視するインビトロ方法が提供され、当該方法は、以下の工程を含む：
ａ）対象の細胞外小胞サンプル中の、Ｃｅｒ  ３２：１、Ｃｅｒ  ３３：１、Ｃｅｒ  ３４：１、Ｃｅｒ  ３４：２、Ｃｅｒ  ３７：１、Ｃｅｒ  ３８：１、Ｃｅｒ  ３８：２、Ｃｅｒ  ３９：１、Ｃｅｒ  ３９：２、Ｃｅｒ  ４０：１、Ｃｅｒ  ４０：２、Ｃｅｒ  ４１：１、Ｃｅｒ  ４１：２、Ｃｅｒ  ４０：１（ＯＨ）、およびＣｅｒ  ４０：２（ＯＨ）からなる群から選択される少なくとも１つのセラミド種の量を評価する工程；ならびに
ｂ）少なくとも１つのセラミド種の評価量を、少なくとも１つのセラミド種についての参照値と比較する工程；
ここで、少なくとも１つのセラミド種についての参照値よりも大きい少なくとも１つのセラミド種の評価量が、アルファシヌクレイノパチーを示す。
【０１５６】
また、対象がアルファシヌクレイノパチーを発症するリスクを判定するインビトロ方法が提供され、以下の工程を含む：
ａ）対象の細胞外小胞サンプル中の、Ｃｅｒ  ３２：１、Ｃｅｒ  ３３：１、Ｃｅｒ  ３４：１、Ｃｅｒ  ３４：２、Ｃｅｒ  ３７：１、Ｃｅｒ  ３８：１、Ｃｅｒ  ３８：２、Ｃｅｒ  ３９：１、Ｃｅｒ  ３９：２、Ｃｅｒ  ４０：１、Ｃｅｒ  ４０：２、Ｃｅｒ  ４１：１、Ｃｅｒ  ４１：２、Ｃｅｒ  ４０：１（ＯＨ）、およびＣｅｒ  ４０：２（ＯＨ）からなる群から選択される少なくとも１つのセラミド種の量を評価する工程；
ｂ）少なくとも１つのセラミド種の評価量を、少なくとも１つのセラミド種についての参照値と比較する工程；
ここで、少なくとも１つのセラミド種についての参照値よりも大きい少なくとも１つのセラミド種の評価量が、対象がアルファシヌクレイノパチーを発症するリスクが高いことを示す。
【０１５７】
本明細書中の他の場所で説明されているように、アルファシヌクレイノパチーは、パーキンソン病（パーキンソン病認知症を含む）、レビー小体型認知症、および多系統萎縮症からなる群から選択されてよい。特に、アルファシヌクレイノパチーは、パーキンソン病であってもレビー小体型認知症であってもよい。
【０１５８】
本明細書中の他の場所で説明されているように、当該方法はさらに、以下の工程を含んでもよい：
ｉ）対象由来の生体サンプルを用意する工程；および
ｉｉ）サイズ排除クロマトグラフィを使用して、生体サンプルから細胞外小胞サンプルを得る工程。
【０１５９】
適切な対象、細胞外小胞サンプル、生体サンプル、細胞外小胞サンプルを得る方法、専門用語、および特徴の組合せまたは順列が、本明細書中の他の場所で説明されており、そして本明細書中に記載されるセラミド態様に等しくあてはまる。
【０１６０】
上記のセラミド種の少なくとも１つの量を評価するのに適した方法が、当該技術分野において周知である。非限定的な例として、以下の実施例のセクションで使用される方法が挙げられる；すなわち、例えば、高解像度のＴｈｅｒｍｏ  Ｏｒｂｉｔｒａｐ  Ｅｘａｃｔｉｖｅシステムをポジティブイオンモードおよびネガティブイオンモードで使用する（例えば、Ｃ１８カラムおよびＨＩＬＩＣカラムを使用する）、液体クロマトグラフィ質量分析（ＬＣ−ＭＳ）。他の適切な方法が、当業者に周知である。
【０１６１】
少なくとも１つのセラミド種の評価量は、同セラミド種についての参照値と比較される。例えば、Ｃｅｒ  ３２：１およびＣｅｒ  ３３：１の量が、当該方法の工程ａ）において評価されれば、当該方法の工程ｂ）は、工程ａ）由来のＣｅｒ  ３２：１の量を、Ｃｅｒ  ３２：１についての参照値と比較し；そして工程ａ）由来のＣｅｒ  ３３：１の量を、Ｃｅｒ  ３３：１についての参照値と比較する等の工程を含む。
【０１６２】
当該方法は、比較工程（工程ｂ））の間、工程ａ）における評価量が、対応する参照値よりも大きい場合に、対象におけるアルファシヌクレイノパチーを示す。
【０１６３】
当該方法は、上記のセラミド種の少なくとも１、少なくとも２、少なくとも３、少なくとも４、少なくとも５、少なくとも６、少なくとも７、少なくとも８、少なくとも９、少なくとも１０、少なくとも１１、少なくとも１２、少なくとも１３、少なくとも１４種、または１５種全ての量を評価してもよい。
【０１６４】
複数のセラミド種が、当該方法内で評価されてもよい。この例では、試験したセラミド種の少なくとも１つ（場合によっては全て）の量が、これらのセラミド種についての参照値よりも大きければ、アルファシヌクレイノパチー（または対象がアルファシヌクレイノパチーを発症する高いリスク）を示す。例として、上記のセラミド種の少なくとも１、少なくとも２、少なくとも３、少なくとも４、少なくとも５、少なくとも６、少なくとも７、少なくとも８、少なくとも９、少なくとも１０、少なくとも１１、少なくとも１２、少なくとも１３、少なくとも１４種、または１５種全ての量が、これらのセラミド種についての参照値よりも大きければ、アルファシヌクレイノパチー（または対象がアルファシヌクレイノパチーを発症する高いリスク）を示す。
【０１６５】
参照値は、対照サンプルから得られてもよいし、所定の参照値であってもよい。
【０１６６】
本明細書中で使用される「対照サンプル」は、病的プリオン様タンパク質がないサンプル、例えば、タンパク質ミスフォールディング神経変性障害を患っていない、もしくは患っている疑いがない健康な対象由来のサンプル、または代わりに、生体試験サンプルが得られるのと同じ対象由来のサンプル、例えば、あらゆる臨床症状、もしくはタンパク質ミスフォールディング神経変性障害を発症するリスク因子の前に得られるサンプルを指す。他の適切な対照サンプルが、当業者によって容易に識別され得る。
【０１６７】
本明細書で使用される「所定の参照値」は、参照データベースから構成されてよい参照レベル（所定のカットオフ値を生じさせるのに使用されてもよい）を指し、すなわち、症状もしくは疾患、またはその欠如を統計的に予測する診断スコアであってもよいし、標準的な母集団サンプルに基づいた所定の参照レベルであってもよいし、代わりに、対象のベースライン発現レベルに基づいた所定の参照レベルであってもよく、すなわち、あらゆる臨床症状、またはタンパク質ミスフォールディング神経変性障害を発症するリスク因子の前のものである。適切な所定の参照値が、当業者によって容易に識別され得る。
【０１６８】
適切な対象、細胞外小胞サンプル、生体サンプル、細胞外小胞サンプルを得る方法、セラミド種の量を評価する方法、分析のためのセラミド種の組合せ、参照レベル、専門用語、および特徴の組合せまたは順列が、本明細書中の他の場所で説明されており、そしてこの態様に等しくあてはまる。
【０１６９】
また、アルファシヌクレイノパチーを患っている疑いがある、またはアルファシヌクレイノパチーの発症リスクが高い対象において、Ｃｅｒ  ３２：１、Ｃｅｒ  ３３：１、Ｃｅｒ  ３４：１、Ｃｅｒ  ３４：２、Ｃｅｒ３７：１、Ｃｅｒ  ３８：１、Ｃｅｒ  ３８：２、Ｃｅｒ  ３９：１、Ｃｅｒ  ３９：２、Ｃｅｒ  ４０：１、Ｃｅｒ  ４０：２、Ｃｅｒ  ４１：１、Ｃｅｒ  ４１：２、Ｃｅｒ  ４０：１（ＯＨ）、およびＣｅｒ  ４０：２（ＯＨ）からなる群から選択される少なくとも１つのセラミド種の量を評価するインビトロ方法が提供され、当該方法は、以下の工程を含む：
（ａ）対象から細胞外小胞サンプルを用意する工程；および
（ｂ）細胞外小胞サンプル中の、Ｃｅｒ  ３２：１、Ｃｅｒ  ３３：１、Ｃｅｒ  ３４：１、Ｃｅｒ  ３４：２、Ｃｅｒ  ３７：１、Ｃｅｒ  ３８：１、Ｃｅｒ  ３８：２、Ｃｅｒ  ３９：１、Ｃｅｒ  ３９：２、Ｃｅｒ  ４０：１、Ｃｅｒ  ４０：２、Ｃｅｒ  ４１：１、Ｃｅｒ  ４１：２、Ｃｅｒ  ４０：１（ＯＨ）、およびＣｅｒ  ４０：２（ＯＨ）からなる群から選択される少なくとも１つのセラミド種の量を評価する工程。
【０１７０】
少なくとも１つのセラミド種の量は、先で詳細に説明されるアッセイのいずれかを使用して求めることができる。
【０１７１】
細胞外小胞サンプルは、先で詳細に説明される方法のいずれかを使用して用意または取得することができる。
【０１７２】
適切な対象、専門用語、および特徴の順列または組合せが、先で詳細に説明されてきた。
【０１７３】
また、疾患がある対象について処置を選択する方法が提供され、当該方法は、以下の工程を含む：
ａ）対象の細胞外小胞サンプル中の、Ｃｅｒ  ３２：１、Ｃｅｒ  ３３：１、Ｃｅｒ  ３４：１、Ｃｅｒ  ３４：２、Ｃｅｒ  ３７：１、Ｃｅｒ  ３８：１、Ｃｅｒ  ３８：２、Ｃｅｒ  ３９：１、Ｃｅｒ  ３９：２、Ｃｅｒ  ４０：１、Ｃｅｒ  ４０：２、Ｃｅｒ  ４１：１、Ｃｅｒ  ４１：２、Ｃｅｒ  ４０：１（ＯＨ）、およびＣｅｒ  ４０：２（ＯＨ）からなる群から選択される少なくとも１つのセラミド種の量を評価する工程；
ｂ）少なくとも１つのセラミド種の評価量を、少なくとも１つのセラミド種についての参照値と比較する工程；
ここで、少なくとも１つのセラミド種についての参照値よりも大きい少なくとも１つのセラミド種の評価量が、対象がアルファシヌクレイノパチー用の処置から利益を得ることとなることを示す。
【０１７４】
当該方法は、インビトロ方法であってもよい。
【０１７５】
少なくとも１つのセラミド種の量は、先で詳細に説明されるアッセイのいずれかを使用して求めることができる。
【０１７６】
細胞外小胞サンプルは、先で詳細に説明される方法のいずれかを使用して用意または取得することができる。
【０１７７】
適切な対象、専門用語、および特徴の順列または組合せが、先で詳細に説明されてきた。
【０１７８】
当該方法はさらに、対象由来のＥＶサンプル中の少なくとも１つのセラミド種の量が、少なくとも１つのセラミド種についての参照値よりも大きければ、アルファシヌクレイノパチーの処置を対象に施す工程を含んでもよい。
【０１７９】
例えば、病的アルファ−シヌクレインタンパク質が存在すると判定され、そして対象が、アルファシヌクレイノパチー、例えば、パーキンソン病、レビー小体型認知症、および多系統萎縮症を患っている、患っている疑いがある、患うリスクがある、または患うリスクがある疑いがあれば、当該対象は、コリンエステラーゼ阻害剤（ＤＬＢについて）またはレボドパ（ＰＤについて）による処置から利益を得ることができる。したがって、当該方法は、コリンエステラーゼ阻害剤（ＤＬＢについて）またはレボドパ（ＰＤについて）を対象に投与する工程を含んでよい。
【０１８０】
適切な対象、細胞外小胞サンプル、生体サンプル、細胞外小胞サンプルを得る方法、専門用語、および特徴の組合せまたは順列が、本明細書中の他の場所で説明されており、そして本明細書中に記載されるセラミド態様に等しくあてはまる。
【０１８１】
また、対象におけるアルファシヌクレイノパチーの識別もしくは監視のための、または対象におけるアルファシヌクレイノパチーの発症リスクを判定するための、Ｃｅｒ  ３２：１、Ｃｅｒ  ３３：１、Ｃｅｒ  ３４：１、Ｃｅｒ  ３４：２、Ｃｅｒ３７：１、Ｃｅｒ  ３８：１、Ｃｅｒ  ３８：２、Ｃｅｒ  ３９：１、Ｃｅｒ  ３９：２、Ｃｅｒ  ４０：１、Ｃｅｒ  ４０：２、Ｃｅｒ  ４１：１、Ｃｅｒ  ４１：２、Ｃｅｒ  ４０：１（ＯＨ）、およびＣｅｒ  ４０：２（ＯＨ）からなる群から選択される少なくとも１つの細胞外小胞セラミド種の使用が提供される。
【０１８２】
適切な対象、専門用語、および特徴の順列または組合せが、先で詳細に説明されてきた。
【０１８３】
また、アルファシヌクレイノパチー用の処置レジメンの治療効果を判定するインビトロ方法が提供され、当該方法は、以下の工程を含む：
ａ）対象の細胞外小胞サンプル中の、Ｃｅｒ  ３２：１、Ｃｅｒ  ３３：１、Ｃｅｒ  ３４：１、Ｃｅｒ  ３４：２、Ｃｅｒ  ３７：１、Ｃｅｒ  ３８：１、Ｃｅｒ  ３８：２、Ｃｅｒ  ３９：１、Ｃｅｒ  ３９：２、Ｃｅｒ  ４０：１、Ｃｅｒ  ４０：２、Ｃｅｒ  ４１：１、Ｃｅｒ  ４１：２、Ｃｅｒ  ４０：１（ＯＨ）、およびＣｅｒ  ４０：２（ＯＨ）からなる群から選択される少なくとも１つのセラミド種の量を評価する工程；
ｂ）処置後に対象から得られる細胞外小胞サンプルを使用して、工程ａ）を、ある時間間隔で繰り返す工程；および
ｃ）工程ａ）において判定された少なくとも１つのセラミド種の量を、工程ｂ）において判定された量と比較して、処置後に少なくとも１つのセラミド種の量が低下していれば、処置レジメンが治療効果を有すると確認する工程。
【０１８４】
適切な対象、処置、専門用語、および特徴の順列または組合せが、先で詳細に説明されてきた。
【０１８５】
また、アルファシヌクレイノパチー用の所定の処置レジメンの、対象の遵守または厳守を判定するインビトロ方法が提供され、当該方法は、以下の工程を含む：
ａ）対象の細胞外小胞サンプル中の、Ｃｅｒ  ３２：１、Ｃｅｒ  ３３：１、Ｃｅｒ  ３４：１、Ｃｅｒ  ３４：２、Ｃｅｒ  ３７：１、Ｃｅｒ  ３８：１、Ｃｅｒ  ３８：２、Ｃｅｒ  ３９：１、Ｃｅｒ  ３９：２、Ｃｅｒ  ４０：１、Ｃｅｒ  ４０：２、Ｃｅｒ  ４１：１、Ｃｅｒ  ４１：２、Ｃｅｒ  ４０：１（ＯＨ）、およびＣｅｒ  ４０：２（ＯＨ）からなる群から選択される少なくとも１つのセラミド種の量を評価する工程；
ｂ）処置レジメンの所定の開始後に対象から得られる細胞外小胞サンプルを使用して、工程ａ）を繰り返す工程；ならびに
ｃ）工程ａ）において判定された少なくとも１つのセラミド種の量を、工程ｂ）において判定された量と比較して、処置後に少なくとも１つのセラミド種の量が低下していれば、対象は所定の治療レジメンを順守または厳守してきたと確認する工程。
【０１８６】
適切な対象、処置、専門用語、および特徴の順列または組合せが、先で詳細に説明されてきた。
【実施例】
【０１８７】
本明細書中で示すデータは、細胞外小胞の使用とＲＴＱＵＩＣ法を組み合わせることによって、病的タンパク質凝集の検出における当該方法の感度が増すことを示している。
【０１８８】
本発明者らは、ルーチンのＲＴＱＵＩＣアッセイを使用して、死後の脳脊髄液、血漿、および血小板から精製した細胞外小胞を試験した。アルファ−シヌクレイン病理を検出する際のアッセイの感度は、生の（精製していない）検体の使用と比較して、大幅に増す。
初期分析
死後の脳脊髄液の１５のサンプル（１１がパーキンソン病＋レビー小体型認知症（シヌクレイノパチー）、そして４が対照）。全ての症例を、臨床的かつ神経病理学的に検証した。
【０１８９】
細胞外小胞を、サイズ排除クロマトグラフィを使用して、全ての症例から精製した。次に、小胞を、そのサイズおよび濃度（図１および図２）について、調整可能な抵抗パルスセンシング（ＴＲＰＳ）によって、そして受け入れられているマーカーの存在（図３）について、ウエスタンブロットおよび免疫電子顕微鏡によって分析した。
【０１９０】
次に、発明者らは、免疫電子顕微鏡法を使用して、アルファ−シヌクレインの存在について、全てのサンプルをスクリーニングした。小胞膜と付随するアルファ−シヌクレイン、および内部アルファ−シヌクレインを検出した。シヌクレインの存在を、患者サンプルおよび対照サンプルにおいて検出した。１つのＰＤサンプルは、アルファ−シヌクレインの標識を全く示さなかった。アルファ−シヌクレインは、より大きな小胞（平均直径２２１ｎｍ）の膜と付随しているようであったが、内部アルファ−シヌクレインの標識は、より小さな小胞（平均直径１２２ｎｍ）に特徴的であった（図４および図５）。この観察は、患者および対照の小胞に特徴的であった。
【０１９１】
本発明者らは、Ｃ１８カラムおよびＨＩＬＩＣカラムを使用する液体クロマトグラフィ−質量分析（ＬＣ−ＭＳ）を、ポジティブイオンモードおよびネガティブイオンモードで使用して、全小胞の包括的リピドーム分析を実行した。ＰＤ患者およびＤＬＢ患者由来の小胞中のセラミド種の存在量の有意な変化を、対照小胞と比較して確認した（図６および図７）。
【０１９２】
特定のいかなる理論にも拘束されないが、これらのデータの一説明として、ＥＶ中で変化するのは、単純にアルファ−シヌクレインではなく、ＥＶの成分それ自体が変化するというもの、そして組成の変化により、ＲＴＱＵＩＣアッセイの応答の仕方、および／またはＥＶ内のアルファ−シヌクレインが変わるというものがある。
【０１９３】
前頭皮質脳組織から精製した細胞外小胞の研究。
本発明者らは、Ｐｅｒｅｚ−Ｇｏｎｚａｌｅｚ（２０１２）によって大幅に変更されたプロトコルを使用して、脳組織からＥＶを精製した。品質チェック分析を、前述のＣＳＦ  ＥＶに従って、すなわち、小胞の純度、濃度、およびサイズを検証するためにＴＲＰＳおよび透過型電子顕微鏡を使用して、実行した（図８）。小胞マーカーを、ウエスタンブロッティングによって判定した（図９および図１０）。カルネキシンの不在は、小胞の純度、および細胞物質による夾雑の欠如を証明している。本発明者らは、いくつかの神経小胞タンパク質の形態、すなわちシナプトフィジンおよびｓｎａｐ２５、ならびに小胞と付随すると思われるごく少量のミトコンドリアタンパク質ＴＦＡＭ（小胞内のミトコンドリア全体の不在を証明する、ミトコンドリア膜マーカーであるポリンの不在に注目）を検出した。免疫電子顕微鏡法を使用して、ＥＶに関する位置（小胞内または結合）を判定することができる。本発明者らは、患者および対照において、小胞画分中のアルファ−シヌクレインを検出して、ＥＬＩＳＡを使用して定量化した（図１１）。アルファ−シヌクレインレベルの有意な変化は検出されなかった。
【０１９４】
ＲＴＱＵＩＣ
ＲＴＱＵＩＣアッセイを、精製したＣＳＦ小胞およびプロセシング未処理のＣＳＦを使用して実行した。精製した小胞を使用した場合、アッセイは、１００％の感度および１００％の特異性を示した。さらに、疾患の前駆症状を検出した（臨床的には、パーキンソン症候群も記憶障害もない対照。しかし、軽度の神経病理学的変化が脳に見られ得、これは経時的に、臨床的に明らかな疾患に進行することが示唆されている）。以前にＦａｉｒｆｏｕｌ  ２０１６に発表されたＲＴＱＵＩＣのプロトコル。アッセイの陽性対照を、図１３に示す。
【０１９５】
血液小胞の進行中の研究
ＲＴＱＵＩＣを使用した以前の研究では、プロセシング未処理の血漿、血小板、またはバフィーコートを使用した場合に、アルファ−シヌクレインの病理は検出されなかった（図１３）。本発明者らは今般、血漿および血小板に由来する精製したＥＶサンプルにＲＴＱＵＩＣを使用した。代表的なデータを図１４および図１５に示す。血漿由来の細胞外小胞を使用すると、疾患シグナルの検出が大幅に向上した。有利には、本明細書中に記載する方法を使用して、本発明者らは、疾患の臨床前症状であり得る、サンプル由来の陽性シグナルを検出することができる。
【０１９６】
更なる例（図１６〜図２２を参照）：
以下の臨床的かつ神経病理学的診断を受けた個体由来の、死後ＣＳＦの６つのサンプルを試験した：パーキンソン病（ＰＤ、１サンプル）、レビー小体型認知症（ＤＬＢ、３サンプル）、および健康対照（２サンプル）。また、パーキンソン病の脳ホモジェネート、ならびにＤＬＢおよび対照の、前頭皮質から単離した細胞外小胞を試験した。
【０１９７】
また、多系統萎縮症（ＭＳＡ）、皮質基底核症候群（ＣＢＳ）、進行性核上性麻痺（ＰＳＰ、Ｓｔｅｅｌｅ−Ｒｉｃｈａｒｄｓｏｎ−Ｏｌｓｚｅｗｓｋｉ症候群）、または健康対照のいずれかの、臨床診断を受けた個体由来の７つの尿サンプルを試験した。
【０１９８】
ＳＥＣを使用したヒト尿サンプル、および超遠心分離を使用したヒト死後ＣＳＦサンプルから、細胞外小胞を、透過型電子顕微鏡によって確認して、首尾よく精製した（図１６および図１７）。
【０１９９】
タンパク質凝集アッセイの結果は、以下の通りであった：
１  死後ＣＳＦサンプル−サンプル毎に分析した全４反復における、レビー小体の病変を検出する際の１００％の特異性（図１８、図１９、および図２０）。
２  尿サンプル−病状を盲検化して、サンプルを分析した（図２１および図２２）。結果は、本発明者らが、双方の反復においてＭＳＡの症例を明確に識別することができたことを示している。
【０２００】
材料および方法：
死後のＣＳＦおよび血漿からの細胞外小胞の精製：
凍結したＣＳＦ、血漿、および血小板を氷上で解凍して、激しくボルテックスして、チューブの壁に付着した可能性のあるものを全て、溶液中に戻した。ＣＳＦおよび血漿を、遠心分離によってプレクリアリングする；ＣＳＦ  １５００ｇ、３０００ｇ、および１０，０００ｇ、各工程１０分；血漿１５００ｇ、３０００ｇ、３０００ｇ、１０分の各工程。
【０２０１】
５００μｌを超える原材料が利用可能であれば、サンプルを、ＶｉｖａＳｐｉｎ遠心濃縮機（Ｓａｒｔｏｒｉｕｓ）を使用して５００μｌに濃縮することができる。次に、５００μｌのサンプルを、サイズ排除クロマトグラフィ（ＳＥＣ）カラム上にロードする。本研究において、発明者らは、ｑＥＶ（Ｉｚｏｎ）標準５００μｌ  ＳＥＣカラムを使用した。ＣＳＦ／血漿をカラム上にロードして、画分をＰＢＳで溶出した。メーカーの説明書に従えば、最初の６×５００μｌ画分（合計３ｍｌの画分として収集した）は空隙容量であり、小胞は、画分７、８、および９内に含有されている。３つの画分を全て１つのチューブに収集して、ＶｉｖａＳｐｉｎ  ２（Ｓａｒｔｏｒｉｕｓ）を使用して５００μｌに濃縮した。濃縮した小胞を、凍結融解を避けるためにアリコートにして、−８０℃にて保存した。
【０２０２】
凍結した前頭皮質細胞外小胞の精製
細胞外小胞を、Ｐｅｒｅｚ−Ｇｏｎｚａｌｅｚ  ｅｔ  ａｌ．２０１２から大幅に変更されたプロトコルに従って、凍結組織から精製した。最低６００ｍｇの凍結した前頭皮質を氷上で解凍して、切開した。組織を、５  ｍＭ  Ｌ−システイン（Ｓｉｇｍａ）およびパパイン（Ｓｉｇｍａ、最終濃度２０ユニット／ｍｌ）を補充したＨｉｂｅｒｎａｔｅ  Ｅ（Ｇｉｂｃｏ、ＴｈｅｒｍｏＦｉｓｈｅｒ）中で３７℃にて１５分間、振盪しながら解離させた。プロテアーゼインヒビタカクテル（Ｒｏｃｈｅ）を含むＨｉｂｅｒｎａｔｅ  Ｅを、総容量１０ｍｌにまで加えて、１０ｍｌセロロジカルピペットに通過させることによって、組織を穏やかにホモジェナイズした。解離した組織を、４０μｍメッシュフィルタを使用して濾過して、濾液を３００ｇ−１０分、２０００ｇ−１０分、そして１０，０００ｇ−３０分にて遠心分離した。各工程で上清を収集した。最終の上清を、０．４５μｍフィルターを使用してさらに濾過して、ＶｉｖａＳｐｉｎ  Ｔｕｒｂｏ  ４遠心濃縮機（Ｓａｒｔｏｒｉｕｓ）を使用して５００μｌに濃縮した。このサンプルを、ＳＥＣ  ｑＥＶカラムにアプライして、ＥＶ単離について、ＣＳＦ  ＥＶに従ってプロセシングした。
【０２０３】
ＴＲＰＳが、Ｉｚｏｎ  Ｓｃｉｅｎｃｅによって提供されている。
【０２０４】
電子顕微鏡法
ＰＢＳ中５μｌの小胞懸濁液を、グロー放電させた炭素被覆銅グリッドに数秒間アプライした。グリッドを、濾紙に接触させることによって乾燥させて、２％酢酸ウラニルで数秒間染色した。グリッドを乾燥させた。グリッドを、Ｐｈｉｌｉｐｓ  ＣＭ  １００  Ｃｏｍｐｕｓｔａｇｅ（ＦＥＩ）透過型電子顕微鏡を使用して調査して、デジタル画像を、ＡＭＴ  ＣＣＤカメラ（Ｄｅｂｅｎ）を使用して収集した。
【０２０５】
ウエスタンブロット
１８μｌのエキソソーム抽出物を、メーカーの説明書に従って、Ｉｎｖｉｔｒｏｇｅｎ  ＮｕＰＡＧＥ  ４−１２％  Ｂｉｓ−Ｔｒｉｓゲル電気泳動システムを使用して、ウエスタンブロット分析にかけた。ＣＤ６３およびＣＤ８１を、非還元条件下で試験した。全ての抗体をＡｂｃａｍから購入したが、Ａｌｉｘ（Ｃｅｌｌ  Ｓｉｇｎａｌｌｉｎｇ）およびＳＮＡＰ２５（Ｓｉｇｍａ）を除く。抗体をメンブレンと共に４℃にて一晩、続いて適切な二次抗体（Ｄａｋｏ）と室温にて１時間インキュベートして、Ｐｉｅｒｃｅ  ＥＣＬ  Ｐｌｕｓウエスタンブロッティング基質またはＳｕｐｅｒＳｉｇｎａｌ  Ｗｅｓｔ  Ｆｅｍｔｏ  Ｍａｘｉｍｕｍ  Ｓｅｎｓｉｔｉｖｉｔｙ  Ｓｕｂｓｔｒａｔｅを使用して現像した。シグナルを、Ａｍｅｒｓｈａｍ  Ｉｍａｇｅｒ  ６００で検出した。
【０２０６】
リピドミクス
ＥＶ脂質を、クロロホルム／メタノール（２／１、ｖ／ｖ）中に抽出した。Ｃ１８カラムおよびＨＩＬＩＣカラムを使用する高解像度のＴｈｅｒｍｏ  Ｏｒｂｉｔｒａｐ  Ｅｘａｃｔｉｖｅシステムを、ポジティブイオンモードおよびネガティブイオンモードで使用して、包括的（非ターゲット）リピドーム分析を、液体クロマトグラフィ質量分析（ＬＣ−ＭＳ）によって実行した。データセットを、Ｎｏｎ−Ｌｉｎｅａｒ  Ｄｙｎａｍｉｃｓ  Ｐｒｏｇｅｎｅｓｉｓ  ＱＩソフトウェアを使用してプロセシング（アライン、デコンボリューション、および正規化）した。ＳＩＭＣＡ−Ｐソフトウェアを使用して、データセットを多変量データ分析（主成分分析（ＰＣＡ）および直交部分最小二乗法−判別分析（ＯＰＬＳ−ＤＡ））にかけることによって、脂質プロファイルの乱れ（相対変化）を判定した。脂質の識別は、ＬＩＰＩＤ  ＭＡＰＳ（ｗｗｗ．ｌｉｐｉｄｍａｐｓ．ｏｒｇ／）、ＨＭＤＢ（ｈｔｔｐ：／／ｗｗｗ．ｈｍｄｂ．ｃａ／）データベースを検索することによって行った。脂質クラスを、主要な脂質クラスの代表である内部標準との比較によって定量化した。統計分析には、データセットに従って、Ｓｈａｐｉｒｏ−Ｗｉｌｋ正規性検定に続く、一元配置Ａｎｏｖａ、対応のないｔ検定、またはノンパラメトリック検定を含めた。
【０２０７】
ＩｍｍｕｎｏＥＭ
Ｓｔ  Ａｎｄｒｅｗｓ  ＵｎｉｖｅｒｓｉｔｙのＥＭ施設内で実行した。
【０２０８】
小胞を支持体に結合させて、抗アルファ−シヌクレイン抗体（ＢＤ  Ｔｒａｎｓｄｕｃｔｉｏｎ  Ｌａｂｏｒａｔｏｒｉｅｓ）に続いて、電子密度金粒子マーカーで標識して、位置を明らかにした。小胞を、メチルセルロースの薄膜中で重金属と対照して引き立たせてから、電子顕微鏡で画像化した。
【０２０９】
アルファ−シヌクレインＥＬＩＳＡ
ＥＬＩＳＡプレートを、抗アルファ−シヌクレイン１０Ｄ２抗体（Ａｎａｌｉｔｉｋ  Ｊｅｎａ、１：２０００）（コーティングバッファー（炭酸−重炭酸バッファー：５０ｍｌの０．２Ｍ重炭酸ナトリウム＋５ｍｌの０．２Ｍ炭酸ナトリウム）中）で、ウェルあたり１００μｌの総容量で４℃にて一晩コーティングした。ウェルを、リン酸緩衝生理食塩水＋０．２％Ｔｗｅｅｎ（ＰＢＳＴ）で３回洗浄した。プレートを、ウェルあたりＰＢＳＴ中１％ＢＳＡの２００μｌでブロックして、ロッキングプレート上で１時間撹拌した。その後、ＰＢＳＴで１回洗浄した。組換えアルファ−シヌクレイン標準（Ｓｉｇｍａ−Ａｌｄｒｉｃｈ；４０〜０．００１ｎｇ／μｌ）およびサンプルを、ＰＢＳ＋０．２％Ｔｗｅｅｎ中で調製して、ウェルあたり１００μｌをロードして、ロッキングプレート上で２時間撹拌した。ウェルをＰＢＳＴで３回洗浄した。検出抗体αβシヌクレイン（Ａｂｃａｍ、１：１５００）（ＰＢＳＴ中１％ＢＳＡ中）を加えて（ウェルあたり１００μｌ）、ロッキングプレート上で１時間撹拌してから、ＰＢＳＴで３回洗浄した。コンジュゲートヤギ抗ウサギＡＰ（Ｓａｎｔａ  Ｃｒｕｚ、１：１０００）（ＰＢＳＴ中１％ＢＳＡ中）を、ウェルあたり１００μｌの総量で加えて、ロッキングプレート上で１時間撹拌してから、ＰＢＳＴ中で３回洗浄した。ｐＮＰＰ（ｐ−ニトロフェニルホスファート；Ｓｉｇｍａ−Ａｌｄｒｉｃｈ）基質を、基質バッファー（０．０５Ｍ炭酸ナトリウム＋０．００１Ｍ  ＭｇＣｌ２（ｄＨ２Ｏ中））中１ｍｇ／ｍｌにて加えて、ウェルあたり１００μｌをロードした。プレートを３７℃にて３０分間インキュベートして、吸光度を４１２ｎｍにて記録した。
【０２１０】
ＲＴＱＵＩＣ
ＲＴＱＵＩＣを、Ｆａｉｒｆｏｕｌ  ａｔ  ａｌ．２０１６において以前に発表されたように実行した。
【０２１１】
更なる材料および方法（図１６〜図２２を参照）：
超遠心分離を用いた、死後の脳脊髄液サンプルからの細胞外小胞の精製。
【０２１２】
凍結した死後の脳脊髄液（ＣＳＦ）サンプル（１ｍｌ〜１．５ｍｌ）を氷上で解凍して、激しくボルテックスして、４℃での、５００×ｇにて１０分間、２０００×ｇにて１５分間、そして１７０００×ｇにて３０分間の遠心分離によって、プレクリアリングした（上清を毎回遠心分離にかけた）。ＴＬＡ  ５５  Ｓ／Ｎ  １７Ｕ１３４０ローターを使用するＯｐｔｉｍａ  Ｍａｘ−ＸＰ  Ｕｌｔｒａｃｅｎｔｒｉｆｕｇｅ  Ｂｅｃｋｍａｎ  Ｃｏｕｌｔｅｒ内で、最終の上清を１３０，０００×ｇにて４℃にて１時間、超遠心分離した。上清を廃棄して、ペレットをリン酸緩衝生理食塩水（ＰＢＳ）で洗浄して、１３０，０００×ｇにて４℃にて１時間、再度超遠心分離した。上清を廃棄して、ペレットを、プロテアーゼインヒビタカクテル（Ｒｏｃｈｅ）を含むＰＢＳ中に再懸濁させた。サンプルを、ネガティブ染色、およびＨｉｔａｃｈｉ  ＨＴ７８００  １２０ｋＶ電子顕微鏡による透過型電子顕微鏡法を使用して、画像化した。
【０２１３】
ヒト尿サンプルからの細胞外小胞の精製。
凍結した尿サンプル（３５ｍｌ〜１００ｍｌ）を解凍して、激しくボルテックスして、４℃での、１５００×ｇにて１０分間、３０００×ｇにて１０分間、そして４６００×ｇにて３０分間の遠心分離によって、プレクリアリングした（上清を毎回遠心分離にかけた）。最終の上清を、分子量カットオフ１００ｋＤａのＡｍｉｃｏｎ限外濾過ユニット（Ｍｅｒｃｋ  Ｍｉｌｌｉｐｏｒｅ）を使用して、５００μｌに濃縮した。濾液を、１６１００×ｇにて４℃にて１０分間遠心分離して、上清を、メーカーの推奨に従って、ｑＥＶオリジナル７０ｎｍ  ＳＥＣカラム（Ｉｚｏｎ）を使用したサイズ排除クロマトグラフィ（ＳＥＣ）にかけた。１５００μｌの小胞画分を収集して、分子量カットオフ３ｋＤａのＡｍｉｃｏｎ限外濾過ユニット（Ｍｅｒｃｋ  Ｍｉｌｌｉｐｏｒｅ）を使用して濃縮した。サンプルを、ネガティブ染色、およびＨｉｔａｃｈｉ  ＨＴ７８００  １２０ｋＶ電子顕微鏡による透過型電子顕微鏡法を使用して、画像化した。
【０２１４】
アルファ−シヌクレインタンパク質凝集アッセイ。
タンパク質凝集アッセイを、Ｆａｉｒｆｏｕｌ  ｅｔ  ａｌ．（２０１６）に以前に記載されるように実行した。ＴｈｅｒｍｏＦｉｓｈｅｒ  ＶａｒｉｏｓｋａｎＬＵＸ  Ｍｕｌｔｉｍｏｄｅプレートリーダーを使用して反応を走らせて、蛍光シグナルの測定を、１１５時間にわたって１５時間毎に行った。死後ＣＳＦサンプルを、２つの異なる量の小胞を試験する二反復で２回分析した。データを、ＳｋａｎＩｔソフトウェア（ＴｈｅｒｍｏＦｉｓｈｅｒ）を使用して分析した。
【０２１５】
本明細書中で別段の定義がない限り、本明細書中で使用する全ての技術用語および科学用語は、本発明が関係する技術の当業者によって一般に理解されているのと同じ意味を有する。例えば、ＳＩＮＧＬＥＴＯＮ  ＡＮＤ  ＳＡＩＮＳＢＵＲＹ，ＤＩＣＴＩＯＮＡＲＹ  ＯＦ  ＭＩＣＲＯＢＩＯＬＯＧＹ  ＡＮＤ  ＭＯＬＥＣＵＬＡＲ  ＢＩＯＬＯＧＹ，２Ｄ  ＥＤ．，ＪＯＨＮ  ＷＩＬＥＹ  ＡＮＤ  ＳＯＮＳ，ＮＹ（１  ９４）；およびＨＡＬＥ  ＡＮＤ  ＭＡＲＨＡＭ，ＴＨＥ  ＨＡＲＰＥＲ  ＣＯＬＬＩＮＳ  ＤＩＣＴＩＯＮＡＲＹ  ＯＦ  ＢＩＯＬＯＧＹ，ＨＡＲＰＥＲ  ＰＥＲＥＮＮＩＡＬ，ＮＹ（１９９１）は、本発明中で使用する多くの用語の一般的な辞書を当業者に提供している。本明細書中に記載するものと類似の、または同等のあらゆる方法および材料が、本発明の実施に用いられるが、好ましい方法および材料を本明細書中に記載している。したがって、直ぐ下で定義する用語は、明細書全体を参照することによって、より完全に説明される。また、本明細書中で使用される単数形の用語「Ａ」、「ＡＮ」、および「ＴＨＥ」は、文脈がそうでないことを明確に示さない限り、複数の参照を含む。特に明記しない限り、核酸は、左から右に向けて、５’から３’の向きに書いている；アミノ酸配列は、左から右に向けて、アミノからカルボキシの向きに書いている。本発明は、記載した特定の方法論、プロトコル、および試薬に限定されないことを理解されたい。というのもこれらは、当業者によって使用される文脈に応じて変わり得るからである。
【０２１６】
読者は、本出願に関連する本明細書と同時に、または本明細書の前に提出されており、かつ本明細書と共に公衆の閲覧に付された全ての論文および文書に留意し、そのような全ての論文および文書の内容は、参照によって本明細書に組み込まれる。
【０２１７】
本明細書（添付の特許請求の範囲、要約、および図面をいずれも含む）に開示される全ての特徴、および／またはそこに開示されるあらゆる方法もしくはプロセスの全ての工程は、そのような特徴および／または工程の少なくとも一部が相互に排他的である組合せを除くあらゆる組合せで組み合わされてもよい。
【０２１８】
本明細書（添付の特許請求の範囲、要約、および図面をいずれも含む）に開示される各特徴は、特に明記しない限り、同じ、同等の、または類似の目的に役立つ代替の特徴によって置換されてもよい。ゆえに、特に明記しない限り、開示される各特徴は、一般的な一連の等価の、または類似の特徴の一例に過ぎない。
【０２１９】
本発明は、前述のいかなる実施形態の詳細にも制限されない。本発明は、本明細書（添付の特許請求の範囲、要約、および図面をいずれも含む）に開示される特徴の新規なあらゆるもの、または新規なあらゆる組合せ、あるいはそのように開示されるあらゆる方法もしくはプロセスの工程の新規なあらゆるもの、または新規なあらゆる組合せに及ぶ。
【０２２０】
参考資料
McKeith et al., Neurology. 2017 Jul 4;89(1):88-100. Diagnosis and management of dementia with Lewy bodies: Fourth consensus report of the DLB Consortium.
Postuma et al., Mov Disord. 2015 Oct;30(12):1591-601. MDS clinical diagnostic criteria for Parkinson's disease.
Han-Joon Kim et al., Journal of Neurology, August 2015, Volume 262, Issue 8, pp 1801-1813; Diagnosis and differential diagnosis of MSA: boundary issues.
Gallea et al., J Biol Chem. 2014 Sep 26; 289(39): 26733-42. Structural insights into amyloid oligomers of the Parkinson disease-related protein α-synuclein.
Tuttle et al., Nat Struct Mol Biol. 2016 May;23(5):409-15. Solid-state NMR structure of a pathogenic fibril of full-length human α-synuclein.
Zerr et al., APMIS. 2002 Jan;110(1):88-98. Clinical diagnosis and differential diagnosis of CJD and vCJD. With special emphasis on laboratory tests.
Gallagher-Jones et al., Nat Struct Mol Biol. 2018 Feb;25(2):131-134. Sub-angstrom cryo-EM structure of a prion protofibril reveals a polar clasp.
Desai et al., Neurology.  2005 Jun 28;64(12 Suppl 3):S34-9.Diagnosis and treatment of Alzheimer's disease.
Schmidt M et al., Proc Natl Acad Sci U S A. 2015 Sep 22;112(38):11858-63. Peptide dimer structure in an Aβ(1-42) fibril visualized with cryo-EM.
Fitzpatrick et al., Nature. 2017 Jul 13;547(7662):185-190. Cryo-EM structures of tau filaments from Alzheimer's disease.
Hoglinger GU et al., Mov Disord. 2017 Jun;32(6):853-864. Clinical diagnosis of progressive supranuclear palsy: The movement disorder society criteria.
Salvadores et al., cell reports 7, 261-268, 2014. Detection of misfolded AB oligomers for sensitive biochemical diagnosis of Alzheimer’s disease.
Loov et al., cell Mol Neurobiol 2016. Alpha-synuclein in extracellular vesicles; functional implications and diagnostic opportunities.
Fairfoul et al., Annals of Clinical and translational neurology; 2016 (pp 812 - 818). Alpha-synuclein RT-QUIC in the CSF of patients with alpha-synucleinopathies.
Herva et al., the journal of biological chemistry vol 289 No 17 pp 11897-11905, 2014. Anti-amyloid compounds inhibit alpha-synuclein aggregation induced by protein misfolding cyclic amplification (PMCA).
Boing et al., journal of extracellular vesicles, 3:23430; 2014. Single-step isolation of extracellular vesicles by size-exclusion chromatography.
Mollenhauer et al., lancet Neurol 2011; 10: 230-40. Alpha-synuclein and tau concentrations in cerebrospinal fluid of patients presenting with parkinsonism: a cohort study.
Danzer et al., Molecular Neurodegeneration 2012, 7:42 Exosomal cell-to-cell transmission of alpha synuclein oligomers.
Luk et al., JAMA Neurol 2016: 73 (12): 1454-1460. Diagnosing sporadic Creutzfeldt-Jakob disease by the detection of abnormal prion protein in patient urine.
Lobb et al., journal of extracellular vesicles 2015, vol 4: 27031. Optimised exosome isolation protocol for cell culture supernatant and human plasma.
Andaloussi et al., Nature Reviews Drug Discovery, vol 12, May 2013, page 347-357. Extracellular vesicles; biology and emerging therapeutic opportunities.
Atarashi et al., nature medicine vol 17 number 2, 2011. Ultrasensitive human prion detection in cerebrospinal fluid by real-time quaking-induced conversion.
Gonzalez-Montalban et al., Plos Pathogens vol 7, issue 2, 2011. Highly efficient protein misfolding cyclic amplification.
Perez-Gonzalez et al. The journal of biological chemistry vol. 287 No51 pp 43108-43115, 2012. The exosome secretory pathway transports amyloid precursor protein carboxyl-terminal fragments from the cell into the brain extracellular space.
Stuendl et al., Brain A journal of Neurology 2016; 139; 481-494 Induction of alpha-synuclein aggregate formation by CSF exosomes from, patients with Parkinson’s disease and dementia with Lewy bodies.
McKhann et al. The diagnosis of dementia due to Alzheimer's disease: recommendations from the National Institute on Aging-Alzheimer's Association workgroups on diagnostic guidelines for Alzheimer's disease. Alzheimers Dement. 2011; 7: 263-269
Dubois et al. Advancing research diagnostic criteria for Alzheimer's disease: the IWG-2 criteria. Lancet Neurol. 2014; 13: 614-629.
Isas et al., Biochemistry. 2017 Jul 18;56(28):3579-3586. 
Pagan F, et al., Handb Clin Neurol. 2017;144:63-67. 
Traynor et al., Clinical features of amyotrophic lateral sclerosis according to the El Escorial and Airlie House diagnostic criteria: A population-based study. Arch Neurol 2000;57:1171-1176.
Wardle et al., Mov Disord. 2009 Aug 15;24(11):1636-40. 
van de Warrenburg et al., EFNS/ENS Consensus on the diagnosis and management of chronic ataxias in adulthood. Eur J Neurol. 2014 Apr;21(4):552-62. 
Sangwan S et al., Proc Natl Acad Sci U S A. 2017 Aug 15;114(33):8770-8775. Atomic structure of a toxic, oligomeric segment of SOD1 linked to amyotrophic lateral sclerosis (ALS).
Alexander et al., Validation of the new consensus criteria for the diagnosis of corticobasal degeneration J neurol Neurosurg Psychiatry 2014: 85: 923-927
Gil D. Rabinovici and Bruce L. Miller CNS Drugs. 2010 May 1; 24(5): 375-398. Frontotemporal Lobar Degeneration: Epidemiology, Pathophysiology, Diagnosis and Management 
Guo Q et al., Cell. 2018 Feb 8;172(4):696-705. In Situ Structure of Neuronal C9orf72 Poly-GA Aggregates Reveals Proteasome Recruitment.
Basso, et al., Mutant Copper-Zinc Superoxide Dismutase (SOD1) Induces Protein Secretion Pathway Alterations and Exosome Release in Astrocytes IMPLICATIONS FOR DISEASE SPREADING AND MOTOR NEURON PATHOLOGY IN AMYOTROPHIC LATERAL SCLEROSIS JBC; 2013 Vol 288 No 22 pp 15699 - 15711
Hinz et al ,. J Biol Chem. 2012 Jan 13;287(3):2068-78. Polyglutamine expansion alters the dynamics and molecular architecture of aggregates in dentatorubropallidoluysian atrophy.
Ruggeri et al., Nat Commun. 2015 Jul 28;6:7831. Infrared nanospectroscopy characterization of oligomeric and fibrillar aggregates during amyloid formation.
【図１】
2021517240.tif 000002
【図２】
2021517240.tif 000003
【図３】
2021517240.tif 000004
【図４】
2021517240.tif 000005
【図５】
2021517240.tif 000006
【図６】
2021517240.tif 000007
【図７】
2021517240.tif 000008
【図８−１】
2021517240.tif 000009
【図８−２】
2021517240.tif 000010
【図９】
2021517240.tif 000011
【図１０】
2021517240.tif 000012
【図１１】
2021517240.tif 000013
【図１２−１】
2021517240.tif 000014
【図１２−２】
2021517240.tif 000015
【図１２−３】
2021517240.tif 000016
【図１２−４】
2021517240.tif 000017
【図１２−５】
2021517240.tif 000018
【図１２−６】
2021517240.tif 000019
【図１２−７】
2021517240.tif 000020
【図１２−８】
2021517240.tif 000021
【図１３】
2021517240.tif 000022
【図１４】
2021517240.tif 000023
【図１５】
2021517240.tif 000024
【図１６】
2021517240.tif 000025
【図１７】
2021517240.tif 000026
【図１８】
2021517240.tif 000027
【図１９】
2021517240.tif 000028
【図２０】
2021517240.tif 000029
【図２１】
2021517240.tif 000030
【図２２】
2021517240.tif 000031
【国際調査報告】
2021517240.tif 000032
2021517240.tif 000033
2021517240.tif 000034
2021517240.tif 000035
2021517240.tif 000036